(57)【要約】  ワイヤレス通信のための、スケーリング係数、ならびに／またはフラクショナル帯域幅および波形を利用するための方法と、システムと、デバイスとが説明される。スケーリング係数は、あるサブシステムの態様を別のサブシステムの態様と関連付けるために利用可能であり得る。実施形態は、標準波形に適合するために十分大きくない可能性があるスペクトルの部分を利用することが可能である。スケーリング係数は、スペクトルのこれらの部分に適合するためのフラクショナル波形を生成するために利用可能であり得る。フラクショナルサブシステムは、通常のサブシステムまたは他のフラクショナルサブシステムの時間、周波数、状態、または他の態様に対してフラクショナルサブシステムの時間、周波数、状態または他の態様を拡張すること、または、スケーリングすることによって、通常のサブシステムあるいは他のフラクショナルサブシステムに関して生成可能である。フラクショナルサブシステムを異なる時間にかつ／または異なる周波数で通常のシステムと整合させることが可能である。スケーリング情報は、別のサブシステムに関する測定を実行するため、別のサブシステムへのハンドオフを実行するため、再選択、整合などを実行するために利用可能であり得る。
2015502081.tif 000002
【特許請求の範囲】
【請求項１】
ワイヤレス通信システムに関するスケーリング係数を利用するための方法であって、
前記ワイヤレス通信システム内の第１のサブシステムを識別することと、
前記ワイヤレス通信システム内の第２のサブシステムを識別することと、
前記第１のサブシステムおよび前記第２のサブシステムに関するスケーリング係数を判断することと、
前記スケーリング係数を利用して、前記第１のサブシステムの１つまたは複数の態様を前記第２のサブシステムの１つまたは複数の態様と関連付けることと
を備える方法。
【請求項２】
少なくとも前記第１のサブシステムまたは前記第２のサブシステムがフラクショナルサブシステムである、請求項１に記載の方法。
【請求項３】
スペクトルの部分を識別することであって、前記第１のサブシステムの第１の波形帯域幅がスペクトルの前記部分の帯域幅を超える、識別することと、
前記スケーリング係数を利用して、前記ワイヤレス通信システムの前記第２のサブシステムの第１のフラクショナル波形を生成することであって、前記第２のサブシステムの前記第１のフラクショナル波形がスペクトルの前記部分の前記帯域幅内に適合する、生成することと
をさらに備える、請求項１に記載の方法。
【請求項４】
前記スケーリング係数を利用して、前記第１のシステムの前記１つまたは複数の態様を前記第２のシステムの前記１つまたは複数の態様と関連付けることが、
前記スケーリング係数と、前記第１のサブシステムの少なくとも時間、持続期間、周波数、または状態とを利用して、前記第２のサブシステムの少なくとも時間、持続期間、周波数、または状態を判断すること
を備える、請求項１に記載の方法。
【請求項５】
少なくとも前記第１のサブシステムまたは前記第２のサブシステムに関してスケーリングされた測定単位を利用することであって、前記第１のサブシステム内および前記第２のサブシステム内の前記スケーリングされた測定単位の基礎値が前記スケーリング係数によって関連付けられる、利用すること
をさらに備える、請求項１に記載の方法。
【請求項６】
前記スケーリングされた測定単位が少なくとも拡張した時間単位または減少した周波数単位である、請求項５に記載の方法。
【請求項７】
前記スケーリングされた測定単位が単位無しである、請求項５に記載の方法。
【請求項８】
前記第２のサブシステムの前記スケーリングされた測定単位とリンクされた値が前記第１のサブシステムの前記スケーリングされた測定単位とリンクされた値と同じである、請求項５に記載の方法。
【請求項９】
前記スケーリング係数を利用して、前記第１のサブシステムから前記第２のサブシステムへのハンドオーバを実行すること
をさらに備える、請求項４に記載の方法。
【請求項１０】
前記スケーリング係数が、少なくとも時間スケーリング係数、状態スケーリング係数、または周波数スケーリング係数を備える、請求項１に記載の方法。
【請求項１１】
少なくともフィルタリングプロセス、平均化プロセス、またはデシメーションプロセスを利用して、前記スケーリング係数を実装すること
をさらに備える、請求項１に記載の方法。
【請求項１２】
前記第１のサブシステムと前記第２のサブシステムとを初めて整合させること
をさらに備える、請求項１に記載の方法。
【請求項１３】
第１のオフセット値を利用して、前記第１のサブシステムに対して前記第２のサブシステムをオフセットすること
をさらに備える、請求項１に記載の方法。
【請求項１４】
第１の基地局を識別する状態を判断することと、
追加の基地局識別子を生成するために、前記第２のサブシステムのオフセット値を前記状態と組み合せることと
をさらに備える、請求項１３に記載の方法。
【請求項１５】
前記状態がＰＮ状態である、請求項１４に記載の方法。
【請求項１６】
前記状態が時間である、請求項１４に記載の方法。
【請求項１７】
前記第２のサブシステムの少なくとも前記判断された時間、前記判断された周波数、または前記判断された状態と、前記第１のサブシステムの少なくとも前記時間、前記周波数、または前記状態とを少なくとも再選択手順、ハンドオフ手順、インターキャリア測定手順、または周波数測定手順の一部として利用すること
をさらに備える、請求項４に記載の方法。
【請求項１８】
前記第１のサブシステムと前記第２のサブシステムとを周期的に整合させること
をさらに備える、請求項１２に記載の方法。
【請求項１９】
前記第１のオフセット値とは異なる第２のオフセット値を利用して、前記第１のサブシステムに対して前記第２のサブシステムをオフセットすること
をさらに備える、請求項１３に記載の方法。
【請求項２０】
前記第１のサブシステムと前記第２のサブシステムとの間で時間を整合させることであって、前記時間を整合させることが状態変更をもたらさない、整合させること
をさらに備える、請求項１に記載の方法。
【請求項２１】
前記状態が少なくともショートＰＮコードまたはロングＰＮコードの状態を指す、請求項２０に記載の方法。
【請求項２２】
前記第１のサブシステムと前記第２のサブシステムとの間で時間を整合させることであって、前記時間を整合させることが状態変更をもたらす、整合させること
をさらに備える、請求項１に記載の方法。
【請求項２３】
前記状態が少なくともショートＰＮコードまたはロングＰＮコードの状態を指す、請求項２２に記載の方法。
【請求項２４】
前記状態変更がＰＮオフセット変更をもたらす、請求項２２に記載の方法。
【請求項２５】
前記ＰＮオフセット変更がモバイルデバイスへの暗示的なハンドオフに相当する、請求項２４に記載の方法。
【請求項２６】
前記ＰＮオフセット変更が、少なくとも１つまたは複数の時間整合インスタンス、前記整合前の状態、または前記スケーリング係数の知識から前記モバイルデバイスによって単独で判断される、請求項２５に記載の方法。
【請求項２７】
前記ＰＮオフセット変更が少なくとも基地局またはコアネットワークから前記モバイルデバイスに通信される、請求項２５に記載の方法。
【請求項２８】
前記ＰＮオフセット変更が、少なくとも前記モバイルデバイスと、少なくとも基地局またはコアネットワークとによって共同で判断される、請求項２５に記載の方法。
【請求項２９】
前記第１のサブシステムが通常のサブシステムを備える、請求項１に記載の方法。
【請求項３０】
前記第１のサブシステムおよび前記第２のサブシステムが共同設置されない、請求項１に記載の方法。
【請求項３１】
前記第１のサブシステムが第２のフラクショナルサブシステムである、請求項１に記載の方法。
【請求項３２】
前記ステップがモバイルデバイスで実行される、請求項１に記載の方法。
【請求項３３】
前記ステップが基地局で実行される、請求項１に記載の方法。
【請求項３４】
スケーリング係数を利用するように構成されたワイヤレス通信システムであって、
前記ワイヤレス通信システム内の第１のサブシステムを識別するための手段と、
前記ワイヤレス通信システム内の第２のサブシステムを識別するための手段と、
前記第１のサブシステムおよび前記第２のサブシステムに関するスケーリング係数を判断するための手段と、
前記スケーリング係数を利用して、前記第１のサブシステムの１つまたは複数の態様を前記第２のサブシステムの１つまたは複数の態様と関連付けるための手段と
を備えるワイヤレス通信システム。
【請求項３５】
スペクトルの部分を識別するための手段であって、前記第１のサブシステムの第１の波形帯域幅がスペクトルの前記部分の帯域幅を超える、識別するための手段と、
前記スケーリング係数を利用して、前記ワイヤレス通信システムの前記第２のサブシステムの第１のフラクショナル波形を生成するための手段であって、前記第２のサブシステムの前記第１のフラクショナル波形がスペクトルの前記部分の前記帯域幅内に適合する、生成するための手段と
をさらに備える、請求項３４に記載のワイヤレス通信システム。
【請求項３６】
前記スケーリング係数を利用して、前記第１のシステムの前記１つまたは複数の態様を前記第２のシステムの前記１つまたは複数の態様と関連付けるための前記手段が、
前記スケーリング係数と、前記第１のサブシステムの少なくとも時間、周波数、または状態とを利用して、前記第２のサブシステムの少なくとも時間、持続期間、周波数、または状態を判断するための手段
を備える、請求項３４に記載のワイヤレス通信システム。
【請求項３７】
前記第２のサブシステムの少なくとも前記判断された時間、前記判断された周波数、または前記判断された状態と、前記第１のサブシステムの少なくとも前記時間、前記周波数、または前記状態とを少なくとも再選択手順、ハンドオフ手順、インターキャリア測定手順、または周波数測定手順の一部として利用するための手段
をさらに備える、請求項３６に記載のワイヤレス通信システム。
【請求項３８】
前記スケーリング係数を利用して、前記第１のサブシステムから前記第２のサブシステムへのハンドオーバを実行するための手段
をさらに備える、請求項３４に記載のワイヤレス通信システム。
【請求項３９】
前記スケーリング係数が、少なくとも時間スケーリング係数、状態スケーリング係数、または周波数スケーリング係数である、請求項３４に記載のワイヤレス通信システム。
【請求項４０】
少なくとも前記第１のサブシステムまたは前記第２のサブシステムに関してスケーリングされた測定単位を利用するための手段であって、前記第１のサブシステム内および前記第２のサブシステム内の前記スケーリングされた測定単位の基礎値が前記スケーリング係数によって関連付けられる、利用するための手段
をさらに備える、請求項３４に記載のワイヤレス通信システム。
【請求項４１】
前記スケーリングされた測定単位が少なくとも拡張した時間単位または減少した周波数単位である、請求項４０に記載のワイヤレス通信システム。
【請求項４２】
前記スケーリングされた測定単位が単位無しである、請求項４０に記載のワイヤレス通信システム。
【請求項４３】
前記第２のサブシステムの前記スケーリングされた測定単位とリンクされた値が前記第１のサブシステムの前記スケーリングされた測定単位とリンクされた値と同じである、請求項４０に記載のワイヤレス通信システム。
【請求項４４】
少なくともフィルタリングプロセス、平均化プロセス、またはデシメーションプロセスを利用して、前記スケーリング係数を実施するための手段
をさらに備える、請求項３４に記載のワイヤレス通信システム。
【請求項４５】
前記第１のサブシステムが通常のサブシステムを備える、請求項３４に記載のワイヤレス通信システム。
【請求項４６】
前記第１のサブシステムおよび前記第２のサブシステムが共同設置されない、請求項３４に記載のワイヤレス通信システム。
【請求項４７】
前記第１のサブシステムが第２のフラクショナルサブシステムである、請求項３４に記載のワイヤレス通信システム。
【請求項４８】
ワイヤレス通信システム内でスケーリング係数を利用するためのコンピュータプログラム製品であって、
前記ワイヤレス通信システム内の第１のサブシステムを識別するためのコードと、
前記ワイヤレス通信システム内の第２のサブシステムを識別するためのコードと、
前記第１のサブシステムおよび前記第２のサブシステムに関するスケーリング係数を判断するためのコードと、
前記スケーリング係数を利用して、前記第１のサブシステムの１つまたは複数の態様を前記第２のサブシステムの１つまたは複数の態様と関連付けるためのコードと
を備えた非一時的コンピュータ可読媒体
を備えるコンピュータプログラム製品。
【請求項４９】
前記非一時的コンピュータ可読媒体が、
スペクトルの部分を識別するためのコードであって、前記第１のサブシステムの第１の波形帯域幅がスペクトルの前記部分の帯域幅を超える、識別するためのコードと、
前記スケーリング係数を利用して、前記ワイヤレス通信システムの前記第２のサブシステムの第１のフラクショナル波形を生成するためのコードであって、前記第２のサブシステムの前記第１のフラクショナル波形がスペクトルの前記部分の前記帯域幅内に適合する、生成するためのコードと
をさらに備える、請求項４８に記載のコンピュータプログラム製品。
【請求項５０】
前記非一時的コンピュータ可読媒体が、
前記スケーリング係数と、前記第１のサブシステムの少なくとも時間、周波数、または状態とを利用して、前記第２のサブシステムの少なくとも時間、持続期間、周波数、または状態を判断するためのコード
をさらに備える、請求項４８に記載のコンピュータプログラム製品。
【請求項５１】
前記非一時的コンピュータ可読媒体が、
前記第２のサブシステムの少なくとも前記判断された時間、前記判断された周波数、または前記判断された状態と、前記第１のサブシステムの少なくとも前記時間、前記周波数、または前記状態とを少なくとも再選択手順、ハンドオフ手順、インターキャリア測定手順、または周波数測定手順の一部として利用するためのコード
をさらに備える、請求項５０に記載のコンピュータプログラム製品。
【請求項５２】
前記非一時的コンピュータ可読媒体が、
前記スケーリング係数を利用して、前記第１のサブシステムから前記第２のサブシステムへのハンドオーバを実行するためのコード
をさらに備える、請求項４８に記載のコンピュータプログラム製品。
【請求項５３】
前記スケーリング係数が、少なくとも時間スケーリング係数、状態スケーリング係数、または周波数スケーリング係数を備える、請求項４８に記載のコンピュータプログラム製品。
【請求項５４】
前記非一時的コンピュータ可読媒体が、
少なくともフィルタリングプロセス、平均化プロセス、またはデシメーションプロセスを利用して、前記スケーリング係数を実装するためのコード
をさらに備える、請求項４８に記載のコンピュータプログラム製品。
【請求項５５】
前記非一時的コンピュータ可読媒体が、
少なくとも前記第１のサブシステムまたは前記第２のサブシステムに関してスケーリングされた測定単位を利用するためのコードであって、前記第１のサブシステム内および前記第２のサブシステム内の前記スケーリングされた測定単位の基礎値が前記スケーリング係数によって関連付けられる、利用するためのコード
をさらに備える、請求項４８に記載のコンピュータプログラム製品。
【請求項５６】
前記スケーリングされた測定単位が、少なくとも拡張した時間単位または減少した周波数単位である、請求項５５に記載のコンピュータプログラム製品。
【請求項５７】
前記スケーリングされた測定単位が単位無しである、請求項５５に記載の方法。
【請求項５８】
前記第２のサブシステムの前記スケーリングされた測定単位とリンクされた値が前記第１のサブシステムの前記スケーリングされた測定単位とリンクされた値と同じである、請求項５５に記載のコンピュータプログラム製品。
【請求項５９】
ワイヤレス通信システム内でスケーリング係数を利用するように構成されたワイヤレス通信デバイスであって、
前記ワイヤレス通信システム内の第１のサブシステムを識別することと、
前記ワイヤレス通信システム内の第２のサブシステムを識別することと、
前記第１のサブシステムおよび前記第２のサブシステムに関するスケーリング係数を判断することと、
前記スケーリング係数を利用して、前記第１のサブシステムの１つまたは複数の態様を前記第２のサブシステムの１つまたは複数の態様と関連付けることと
を行うように構成された、少なくとも１つのプロセッサと、
前記少なくとも１つのプロセッサに結合された、少なくとも１つのメモリと
を備えるワイヤレス通信デバイス。
【請求項６０】
前記少なくとも１つのプロセッサが、
前記第１のサブシステムと前記第２のサブシステムとを初めて整合させること
を行うようにさらに構成された、請求項５９に記載のワイヤレス通信デバイス。
【請求項６１】
前記少なくとも１つのプロセッサが、
第１のオフセット値を利用して、前記第１のサブシステムに対して前記第２のサブシステムをオフセットすること
を行うようにさらに構成された、請求項５９に記載のワイヤレス通信デバイス。
【請求項６２】
前記少なくとも１つのプロセッサが、
第１の基地局を識別する状態を判断することと、
新しい基地局識別子を生成するために、前記第２のサブシステムのオフセット値を前記状態と組み合せることと
を行うようにさらに構成された、請求項６１に記載のワイヤレス通信デバイス。
【請求項６３】
前記少なくとも１つのプロセッサが、
前記スケーリング係数と、前記第１のサブシステムの少なくとも時間、周波数、または状態とを利用して、前記第２のサブシステムの少なくとも時間、持続期間、周波数、または状態を判断すること
を行うようにさらに構成された、請求項５９に記載のワイヤレス通信デバイス。
【請求項６４】
前記少なくとも１つのプロセッサが、
前記第１のサブシステムと前記第２のサブシステムとを周期的に整合させること
を行うようにさらに構成された、請求項５９に記載のワイヤレス通信デバイス。
【請求項６５】
前記少なくとも１つのプロセッサが、
前記第１のオフセット値とは異なる第２のオフセット値を利用して、前記第１のサブシステムに対して前記第２のサブシステムをオフセットすること
を行うようにさらに構成された、請求項６１に記載のワイヤレス通信デバイス。
【請求項６６】
前記少なくとも１つのプロセッサが、
少なくとも前記第１のサブシステムまたは前記第２のサブシステムに関してスケーリングされた測定単位を利用することであって、前記第１のサブシステム内および前記第２のサブシステム内の前記スケーリングされた測定単位の基礎値が前記スケーリング係数によって関連付けられる、利用すること
を行うようにさらに構成された、請求項５９に記載のワイヤレス通信デバイス。
【請求項６７】
前記スケーリングされた測定単位が少なくとも拡張した時間単位または減少した周波数単位である、請求項６６に記載のワイヤレス通信デバイス。
【請求項６８】
前記スケーリングされた測定単位が単位無しである、請求項６６に記載のワイヤレス通信デバイス。
【請求項６９】
前記第２のサブシステムの前記スケーリングされた測定単位とリンクされた値が前記第１のサブシステムの前記スケーリングされた測定単位とリンクされた値と同じである、請求項６６に記載のワイヤレス通信デバイス。
【発明の詳細な説明】
【技術分野】
【０００１】
関連出願の相互参照
[0001]本特許出願は、２０１１年１１月７日に出願し、本譲受人に譲渡され、参照により本明細書に明示的に組み込まれている、「ＦＲＡＣＴＩＯＮＡＬ  ＳＹＳＴＥＭＳ  ＦＯＲ  ＷＩＲＥＬＥＳＳ  ＣＯＭＭＵＮＩＣＡＴＩＯＮＳ」という表題の仮出願第６１／５５６，７７７号の優先権を主張するものである。
【背景技術】
【０００２】
[0002]ワイヤレス通信システムは、音声、ビデオ、パケットデータ、メッセージング、ブロードキャストなど、様々なタイプの通信コンテンツを提供するために広く展開されている。これらのシステムは、利用可能なシステムリソース（たとえば、時間、周波数、および電力）を共有することによって、複数のユーザとの通信をサポートすることができる多元接続システムであり得る。そのような多元接続システムの例としては、符号分割多元接続（ＣＤＭＡ）システム、時分割多元接続（ＴＤＭＡ）システム、周波数分割多元接続（ＦＤＭＡ）システム、３ＧＰＰロングタームエボリューション（ＬＴＥ）システム、および直交周波数分割多元接続（ＯＦＤＭＡ）システムがある。
【０００３】
[0003]一般に、ワイヤレス多元接続通信システムは、各々が複数のモバイル端末用の通信を同時にサポートする、いくつかの基地局を含むことが可能である。基地局は、ダウンストリームリンク上およびアップストリームリンク上でモバイル端末と通信することができる。各基地局は、セルのカバレッジ領域と呼ばれる場合があるカバレッジ領域を有する。セルラ展開において、マクロセルは、地方地域、郊外地域、および都市地域など、広い領域にサーブする（serving）セルを説明するために使用される。フェムトセルは、通常、住宅、小規模事業、建物、または他の限定された領域で使用するために展開される、より小さなセルである。フェムトセルは、多くの場合、ブロードバンド接続を介して、サービスプロバイダのネットワークに接続される。３ＧＰＰ用語で、フェムトセルは、ＵＭＴＳ（ＷＣＤＭＡ（登録商標））または高速パケットアクセス（ＨＳＰＡ））用のホームノードＢ（ＨＮＢ）、およびＬＴＥ用のホームｅノードＢ（ＨｅＮＢ）と呼ばれる場合がある。スペクトルの部分は標準波形に適合するために十分大きくないので、場合によっては、ワイヤレス通信システムはそれらの部分を利用できない場合がある。
【発明の概要】
【０００４】
[0004]ワイヤレス通信のためのフラクショナル（fractional）帯域幅および波形を提供するための方法、システム、およびデバイスが説明される。実施形態は、標準波形、通常の波形、および／またはレガシー波形に適合（fit）するために十分大きくない可能性があるスペクトルの部分を利用することが可能である。スケーリングは、スペクトルのこれらの部分に適合するためのフラクショナル波形を生成するために利用され得る。いくつかの実施形態では、フラクショナルサブシステムは、通常のサブシステムの時間に対してフラクショナルサブシステムの時間を拡張する（dilating）こと、または、縮小する（scaling down）ことによって、通常のサブシステムに関して生成され得る。フラクショナルサブシステムは異なる時間にかつ／または異なる周波数で通常のサブシステムと整合され得る。スケーリング情報は、他のサブシステムに関する測定を実行するため、他のサブシステムへのハンドオフを実行するため、再選択、整合（align）などを実行するために利用され得る。場合によっては、より大きな波形を生成するため、または標準波形よりもより大きな帯域幅を利用するために、フラクショナル帯域幅も利用され得る。
【０００５】
[0005]スペクトルの部分は標準波形に適合するために十分大きくないので、いくつかの実施形態は、オペレータによって現在使用されていない可能性があるスペクトルのそれらの部分を利用することが可能である。スペクトルの各部分の幅に応じて、スペクトルの異なる部分に関して異なるスケーリング係数が利用され得る。
【０００６】
[0006]いくつかの実施形態は、スケーリング係数を利用するワイヤレス通信のためのシステム、方法、および／またはデバイスを含む。ワイヤレス通信システムの第１のサブシステムと第２のサブシステムとが識別され得る。第１のサブシステムおよび第２のサブシステムに関するスケーリング係数が判断され得る。スケーリング係数を利用して、第１のサブシステムの１つまたは複数の態様が第２のサブシステムの１つまたは複数の態様と関連付けられ得る。いくつかの実施形態は、少なくとも第１のサブシステムまたは第２のサブシステムに関してスケーリングされた測定単位（scaled measurement unit）を利用することが可能である。第１のサブシステム内および第２のサブシステム内のスケーリングされた測定単位の基礎値（underlying value）はスケーリング係数によって関連付けられ得る。
【０００７】
[0007]いくつかの実施形態は、ワイヤレス通信システムに関するフラクショナルサブシステムを生成するためのシステム、方法、および／またはデバイスを含む。たとえば、ワイヤレス通信システムに関するフラクショナルサブシステムを生成するための方法は、ワイヤレス通信システム内の第１のサブシステムを識別すること、第１のサブシステムに関するスケーリング係数を判断すること、および／またはワイヤレス通信システム内で第２のサブシステムを生成することを含むことが可能であり、この場合、第２のサブシステムは第１のフラクショナルサブシステムであってよく、スケーリング係数を使用して、第２のサブシステムの１つまたは複数の態様が第１のサブシステムの１つまたは複数の態様と関連付けられ得る。
【０００８】
[0008]いくつかの実施形態では、スケーリング係数は時間スケーリング係数である。いくつかの実施形態では、スケーリング係数は状態スケーリング係数である。いくつかの実施形態では、周波数スケーリング係数を含むが、これに限定されない、他のスケーリング係数も利用され得る。
【０００９】
[0009]いくつかの実施形態は、スペクトルの部分を識別することであって、第１のサブシステムの第１の波形がスペクトルのその部分の帯域幅を超える、識別すること、および／またはスケーリング係数を利用して、ワイヤレス通信システムの第２のサブシステムの第１のフラクショナル波形を生成することをさらに含むことが可能であり、この場合、第２のサブシステムの第１のフラクショナル波形がスペクトルのその部分の帯域幅内に適合する。
【００１０】
[0010]いくつかの実施形態は、スケーリング係数と、第１のサブシステムの少なくとも時間、周波数、または状態とを利用して、第２のサブシステムの少なくとも時間、周波数、または状態を判断することをさらに含むことが可能である。いくつかの実施形態は、スケーリング係数を利用して、第１のサブシステムから第２のサブシステムへのハンドオーバを実行することをさらに含むことが可能である。
【００１１】
[0011]いくつかの実施形態は、第１のサブシステムと第２のサブシステムとを初めて（at a first time）整合させることをさらに含むことが可能である。いくつかの実施形態は、第１のオフセット値を利用して、第１のサブシステムに対して第２のサブシステムをオフセットすることをさらに含むことが可能である。いくつかの実施形態は、状態を判断すること、第１の基地局を識別すること、および／または、新しい基地局識別子を生成するために、第２のサブシステムのオフセット値と状態を組み合せることをさらに含むことが可能である。この状態はＰＮ状態であってよい。この状態はフレーム番号（たとえば、ＳＦＮ）であってよい。この状態はサイクル番号であってよい。
【００１２】
[0012]いくつかの実施形態は、第２のサブシステムの少なくとも判断された時間、判断された周波数、または判断された状態と、第１のサブシステムの少なくとも時間、周波数、または状態とを少なくとも再選択手順、ハンドオフ手順、インターキャリア測定（inter-carrier measurement）手順、または周波数測定手順の一部として利用することをさらに含むことが可能である。いくつかの実施形態は、スケーリング係数と、第２のサブシステムの少なくとも時間、周波数、または状態とを利用して、第１のサブシステムの少なくとも時間、周波数、または状態を判断することをさらに含むことが可能である。
【００１３】
[0013]いくつかの実施形態は、第１のサブシステムと第２のサブシステムとを周期的に（on a periodic basis）整合させることをさらに含むことが可能である。いくつかの実施形態は、第１のオフセット値とは異なる第２のオフセット値を利用して、第１のサブシステムに対して第２のサブシステムをオフセットすることをさらに含むことが可能である。
【００１４】
[0014]スケーリング係数は、整数値、有理数（rational value）、および／または無理数（irrational value）を含むことが可能である。いくつかの実施形態では、第１のサブシステムは通常のサブシステムを含むことが可能である。いくつかの実施形態では、第１のサブシステムは別のフラクショナルサブシステムを含むことが可能である。第１のサブシステムおよび第２のサブシステムは共同設置され（be co-located）てよく、または共同設置されなくてもよい。
【００１５】
[0015]いくつかの実施形態は、ワイヤレス通信システム内の第１のサブシステムを識別すること、ワイヤレス通信システム内の第２のサブシステムを識別すること、第１のサブシステムおよび第２のサブシステムに関するスケーリング係数を判断すること、ならびに／またはスケーリング係数を利用して、第１のサブシステムの１つもしくは複数の態様を第２のサブシステムの１つもしくは複数の態様と関連付けることを含むことが可能な、ワイヤレス通信システムに関するスケーリング係数を利用するための方法を含む。
【００１６】
[0016]いくつかの実施形態では、少なくとも第１のサブシステムまたは第２のサブシステムはフラクショナルサブシステムである。この方法は、スペクトルの部分を識別することを含むことが可能である。第１のサブシステムの第１の波形帯域幅は、スペクトルのその部分の帯域幅を超える（exceed）場合がある。スケーリング係数を利用して、ワイヤレス通信システムの第２のサブシステムの第１のフラクショナル波形が生成され得る。第２のサブシステムの第１のフラクショナル波形は、スペクトルのその部分の帯域幅内に適合し得る。
【００１７】
[0017]いくつかの実施形態では、スケーリング係数を利用して、第１のシステムの１つまたは複数の態様を第２のシステムの１つまたは複数の態様と関連付けることは、スケーリング係数と、第１のサブシステムの少なくとも時間、持続期間、周波数、または状態とを利用して、第２のサブシステムの少なくとも時間、持続期間、周波数、または状態を判断することを含むことが可能である。いくつかの実施形態は、スケーリング係数を利用して、第１のサブシステムから第２のサブシステムへのハンドオーバを実行することを含むことが可能である。いくつかの実施形態は、第２のサブシステムの少なくとも判断された時間、判断された周波数、または判断された状態と、第１のサブシステムの少なくとも時間、周波数、または状態とを少なくとも再選択手順、ハンドオフ手順、インターキャリア測定手順、または周波数測定手順の一部として利用することを含むことが可能である。
【００１８】
[0018]いくつかの実施形態は、少なくとも第１のサブシステムまたは第２のサブシステムに関してスケーリングされた測定単位を利用することであって、第１のサブシステム内および第２のサブシステム内のスケーリングされた測定単位の基礎値がスケーリング係数によって関連付けられる、利用することを含むことが可能である。スケーリングされた測定単位は、少なくとも拡張した（dilated）時間単位または減少した（reduced）周波数単位であってよい。いくつかの実施形態では、スケーリングされた測定単位は単位無し（unitless）であってよい。いくつかの実施形態では、第２のサブシステムのスケーリングされた測定単位とリンクされた（linked）値は、第１のサブシステムのスケーリングされた測定単位とリンクされた値と同じであってよい。
【００１９】
[0019]いくつかの実施形態では、スケーリング係数は、少なくとも時間スケーリング係数、状態スケーリング係数、または周波数スケーリング係数を含む。いくつかの実施形態は、少なくともフィルタリングプロセス、平均化プロセス、またはデシメーションプロセス（decimating process）を利用して、スケーリング係数を実装すること（implementing）を含むことが可能である。
【００２０】
[0020]いくつかの実施形態は、第１のサブシステムと第２のサブシステムとを初めて整合させることを含むことが可能である。いくつかの実施形態は、第１のオフセット値を利用して、第１のサブシステムに対して第２のサブシステムをオフセットすることを含むことが可能である。いくつかの実施形態は、第１の基地局を識別する状態を判断すること、および／または、追加の基地局識別子を生成するために、第２のサブシステムのオフセット値と状態を組み合せることを含むことが可能である。この状態はＰＮ状態であってよい。この状態は時間であってよい。いくつかの実施形態は、第１のサブシステムと第２のサブシステムとを複数回整合させることを含むことが可能であり、これは周期的であってよい。いくつかの実施形態は、第１のオフセット値とは異なる第２のオフセット値を利用して、第１のサブシステムに対して第２のサブシステムをオフセットすることを含むことが可能である。
【００２１】
[0021]いくつかの実施形態は、第１のサブシステムと第２のサブシステムとの間で時間を整合させることを含むことが可能であり、この場合、時間を整合させることは状態変更をもたらさない。いくつかの実施形態では、この状態は、少なくともショートＰＮコードまたはロングＰＮコードの状態を指す場合がある。いくつかの実施形態は、第１のサブシステムと第２のサブシステムとの間で時間を整合させることを含むことが可能であり、この場合、時間を整合させることは状態変更をもたらす。いくつかの実施形態では、この状態は、少なくともショートＰＮコードまたはロングＰＮコードの状態を指す。いくつかの実施形態では、状態変更はＰＮオフセット変更をもたらす。ＰＮオフセット変更はモバイルデバイスへの暗示的なハンドオフに相当し得る。ＰＮオフセット変更は、少なくとも、１つまたは複数の時間整合インスタント（instants）、整合の前の状態、またはスケーリング係数の知識からモバイルデバイスによって単独で（on its own）判断され得る。ＰＮオフセット変更は少なくとも基地局またはコアネットワークからモバイルデバイスに通信され得る。ＰＮオフセット変更は、少なくともモバイルデバイスと、少なくとも基地局またはコアネットワークとによって共同で（jointly）判断され得る。
【００２２】
[0022]いくつかの実施形態では、第１のサブシステムは通常のサブシステムを含む。いくつかの実施形態では、第１のサブシステムおよび第２のサブシステムは共同設置されない。いくつかの実施形態では、第１のサブシステムは第２のフラクショナルサブシステムである。いくつかの実施形態では、この方法はモバイルデバイスで実行される。いくつかの実施形態では、この方法は基地局で実行される。
【００２３】
[0023]上記の方法は、スケーリング係数を利用するように構成されたワイヤレス通信システム、ワイヤレス通信システム内でスケーリング係数を利用するためのコンピュータプログラム製品、および／またはワイヤレス通信システム内でスケーリング係数を利用するように構成されたワイヤレス通信デバイスによって実施されることも可能である。
【００２４】
[0024]いくつかの実施形態は、スケーリング係数を利用するように構成されたワイヤレス通信システムを含む。ワイヤレス通信システムは、ワイヤレス通信システム内の第１のサブシステムを識別するための手段、ワイヤレス通信システム内の第２のサブシステムを識別するための手段、第１のサブシステムおよび第２のサブシステムに関するスケーリング係数を判断するための手段、ならびに／または、スケーリング係数を利用して、第１のサブシステムの１つもしくは複数の態様を第２のサブシステムの１つもしくは複数の態様と関連付けるための手段を含むことが可能である。
【００２５】
[0025]ワイヤレス通信システムは、スペクトルの部分を識別するための手段であって、第１のサブシステムの第１の波形帯域幅がスペクトルのその部分の帯域幅を超える、識別するための手段、および／または、スケーリング係数を利用して、ワイヤレス通信システムの第２のサブシステムの第１のフラクショナル波形を生成するための手段であって、第２のサブシステムの第１のフラクショナル波形がスペクトルのその部分の帯域幅内に適合する、生成するための手段をさらに含むことが可能である。
【００２６】
[0026]いくつかの実施形態では、スケーリング係数を利用して、第１のシステムの１つまたは複数の態様を第２のシステムの１つまたは複数の態様と関連付けるための手段は、スケーリング係数と、第１のサブシステムの少なくとも時間、周波数、または状態とを利用して、第２のサブシステムの少なくとも時間、持続期間、周波数、または状態を判断するための手段を含む。いくつかの実施形態では、ワイヤレス通信システムは、第２のサブシステムの少なくとも判断された時間、判断された周波数、または判断された状態と、第１のサブシステムの少なくとも時間、周波数、または状態とを少なくとも再選択手順、ハンドオフ手順、インターキャリア測定手順、または周波数測定手順の一部として利用するための手段を含むことが可能である。いくつかの実施形態では、ワイヤレス通信システムは、スケーリング係数を利用して、第１のサブシステムから第２のサブシステムへのハンドオーバを実行するための手段を含むことが可能である。いくつかの実施形態では、スケーリング係数は、少なくとも時間スケーリング係数、状態スケーリング係数、または周波数スケーリング係数である。
【００２７】
[0027]ワイヤレス通信システムは、少なくともフィルタリングプロセス、平均化プロセス、デシメーションプロセスを利用して、スケーリング係数を実装するための手段を含むことが可能である。
【００２８】
[0028]ワイヤレス通信システムは、少なくとも第１のサブシステムまたは第２のサブシステムに関してスケーリングされた測定単位を利用するための手段であって、第１のサブシステム内および第２のサブシステム内のスケーリングされた測定単位の基礎値がスケーリング係数によって関連付けられる、利用するための手段を含むことが可能である。スケーリングされた測定単位は、少なくとも拡張した時間単位または減少した周波数単位であってよい。スケーリングされた測定単位は単位無しであってよい。いくつかの実施形態では、第２のサブシステムのスケーリングされた測定単位とリンクされた値は、第１のサブシステムのスケーリングされた測定単位とリンクされた値と同じである。
【００２９】
[0029]いくつかの実施形態では、第１のサブシステムは通常のサブシステムを含む。いくつかの実施形態では、第１のサブシステムおよび第２のサブシステムは共同設置されない。いくつかの実施形態では、第１のサブシステムは第２のフラクショナルサブシステムである。
【００３０】
[0030]いくつかの実施形態は、ワイヤレス通信システム内の第１のサブシステムを識別するためのコード、ワイヤレス通信システム内の第２のサブシステムを識別するためのコード、第１のサブシステムおよび第２のサブシステムに関するスケーリング係数を判断するためのコード、ならびに／または、スケーリング係数を利用して、第１のサブシステムの１つもしくは複数の態様を第２のサブシステムの１つもしくは複数の態様と関連付けるためのコードを含む非一時的コンピュータ可読媒体を含む、ワイヤレス通信システム内でスケーリング係数を利用するためのコンピュータプログラム製品を含む。
【００３１】
[0031]非一時的コンピュータ可読媒体は、スペクトルの部分を識別するためのコードであって、第１のサブシステムの第１の波形帯域幅がスペクトルのその部分の帯域幅を超える、識別するためのコード、および／または、スケーリング係数を利用して、ワイヤレス通信システムの第２のサブシステムの第１のフラクショナル波形を生成するためのコードを含むことが可能であり、この場合、第２のサブシステムの第１のフラクショナル波形は、スペクトルのその部分の帯域幅内に適合する。
【００３２】
[0032]非一時的コンピュータ可読媒体は、スケーリング係数と、第１のサブシステムの少なくとも時間、周波数、または状態とを利用して、第２のサブシステムの少なくとも時間、持続期間、周波数、または状態を判断するためのコードを含むことが可能である。非一時的コンピュータ可読媒体は、第２のサブシステムの少なくとも判断された時間、判断された周波数、または判断された状態と、第１のサブシステムの少なくとも時間、周波数、または状態とを少なくとも再選択手順、ハンドオフ手順、インターキャリア測定手順、または周波数測定手順の一部として利用するためのコードを含むことが可能である。非一時的コンピュータ可読媒体は、スケーリング係数を利用して、第１のサブシステムから第２のサブシステムへのハンドオーバを実行するためのコードを含むことが可能である。
【００３３】
[0033]いくつかの実施形態では、スケーリング係数は、少なくとも時間スケーリング係数、状態スケーリング係数、または周波数スケーリング係数を含むことが可能である。非一時的コンピュータ可読媒体は、少なくともフィルタリングプロセス、平均化プロセス、またはデシメーションプロセスを利用して、スケーリング係数を実装するためのコードを含むことが可能である。
【００３４】
[0034]非一時的コンピュータ可読媒体は、少なくとも第１のサブシステムまたは第２のサブシステムに関してスケーリングされた測定単位を利用するためのコードであって、第１のサブシステム内および第２のサブシステム内のスケーリングされた測定単位の基礎値がスケーリング係数によって関連付けられる、利用するためのコードを含むことが可能である。スケーリングされた測定単位は、少なくとも拡張した時間単位または減少した周波数単位であってよい。スケーリングされた測定単位は単位無しであってよい。いくつかの実施形態では、第２のサブシステムのスケーリングされた測定単位とリンクされた値は、第１のサブシステムのスケーリングされた測定単位とリンクされた値と同じであってよい。
【００３５】
[0035]いくつかの実施形態は、ワイヤレス通信システム内でスケーリング係数を利用するように構成されたワイヤレス通信デバイスを含む。ワイヤレス通信デバイスは、ワイヤレス通信システム内の第１のサブシステムを識別すること、ワイヤレス通信システム内の第２のサブシステムを識別すること、第１のサブシステムおよび第２のサブシステムに関するスケーリング係数を判断すること、ならびに／または、スケーリング係数を利用して、第１のサブシステムの１つもしくは複数の態様を第２のサブシステムの１つもしくは複数の態様と関連付けることを行うように構成された、少なくとも１つのプロセッサを含む。ワイヤレス通信デバイスは、少なくとも１つのプロセッサに結合された、少なくとも１つのメモリを含むことも可能である。
【００３６】
[0036]少なくとも１つのプロセッサは、第１のサブシステムと第２のサブシステムとを初めて整合させることを行うようにさらに構成可能である。少なくとも１つのプロセッサは、第１のオフセット値を利用して、第１のサブシステムに対して第２のサブシステムをオフセットすることを行うようにさらに構成され得る。少なくとも１つのプロセッサは、第１の基地局を識別する状態を判断すること、および／または新しい基地局識別子を生成するために、第２のサブシステムのオフセット値と状態を組み合せることを行うようにさらに構成され得る。
【００３７】
[0037]少なくとも１つのプロセッサは、スケーリング係数と、第１のサブシステムの少なくとも時間、周波数、または状態とを利用して、第２のサブシステムの少なくとも時間、持続期間、周波数、または状態を判断することを行うようにさらに構成され得る。少なくとも１つのプロセッサは、第１のサブシステムと第２のサブシステムとを周期的に整合させることを行うようにさらに構成され得る。少なくとも１つのプロセッサは、第１のオフセット値とは異なる第２のオフセット値を利用して、第１のサブシステムに対して第２のサブシステムをオフセットすることを行うようにさらに構成され得る。
【００３８】
[0038]少なくとも１つのプロセッサは、少なくとも第１のサブシステムまたは第２のサブシステムに関してスケーリングされた測定単位を利用することを行うようにさらに構成され得、この場合、第１のサブシステム内および第２のサブシステム内のスケーリングされた測定単位の基礎値はスケーリング係数によって関連付けられる。スケーリングされた測定単位は、少なくとも拡張した時間単位または減少した周波数単位であってよい。スケーリングされた測定単位は単位無しであってよい。いくつかの実施形態では、第２のサブシステムのスケーリングされた測定単位とリンクされた値は、第１のサブシステムのスケーリングされた測定単位とリンクされた値と同じである。
【００３９】
[0039]前述の説明は、続く詳細な説明をより良く理解することができるように、本開示による例の特徴および技術的利点を多少広く概説している。追加の特徴および利点は以下で説明される。本開示の同じ目的を実行するために他の構造を修正または設計するための基礎として、開示される概念および特定の例が容易に利用され得る。そのような同等の構造は、添付の請求項の趣旨および範囲から逸脱しない。その構成と動作の方法の両方に関して、関連する利点とともに、本明細書で開示される概念の特徴的であると思われる特徴は、添付の図面とともに考慮するとき、以下の説明からより良く理解されよう。これらの図面の各々は、特許請求の範囲の限定の定義としではなく、例示および説明のためだけに提供される。
【００４０】
[0040]以下の図面を参照することによって、本発明の性質および利点のさらなる理解が実現され得る。添付の図面では、類似の構成要素または特徴は同じ参照ラベルを有する場合がある。さらに、同じタイプの様々な構成要素は、ダッシュ記号と、類似の構成要素を区別する第２のラベルとによって参照ラベルをたどる（follow）ことによって区別可能である。第１の参照ラベルだけが明細書で使用される場合、その説明は、第２の参照ラベルにかかわらず、同じ第１の参照ラベルを有する類似の構成要素のうちのいずれか１つに適用可能である。
【図面の簡単な説明】
【００４１】
【図１】様々な実施形態によるワイヤレス通信システムのブロック図。
【図２Ａ】様々な実施形態による、フラクショナル波形が通常の波形に適合するために十分広くないスペクトルの部分に適合するワイヤレス通信システムの例を示す図。
【図２Ｂ】様々な実施形態による、フラクショナル波形が帯域の境界に近接するスペクトルの部分に適合するワイヤレス通信システムの例を示す図。
【図３】様々な実施形態によるシステムクロックの一例を示す図。
【図４Ａ】様々な実施形態による、フィルタリング手段によって時間をスケーリングする例を示す図。
【図４Ｂ】様々な実施形態による、フィルタリング手段によって時間をスケーリングする例を示す図。
【図４Ｃ】様々な実施形態による、フィルタリング手段によって時間をスケーリングする例を示す図。
【図５Ａ】様々な実施形態による、Ｎの様々な時間スケーリング値に関するＰＮ状態の例を示す図。
【図５Ｂ】様々な実施形態による、２つのシステム間の時間整合の例を示す図。
【図６Ａ】様々な実施形態による、通常のシステムとフラクショナルシステムとの間の可能な整合の例を示す図。
【図６Ｂ】様々な実施形態による、通常のシステムとフラクショナルシステムとの間の可能な整合の例を示す図。
【図６Ｃ】様々な実施形態による、通常のシステムとフラクショナルシステムとの間の可能な整合の例を示す図。
【図７Ａ】様々な実施形態による、通常のシステムとフラクショナルシステムとの間の可能な整合時間の例を示す図。
【図７Ｂ】様々な実施形態による、通常のシステムとフラクショナルシステムとの間の可能な整合時間の例を示す図。
【図７Ｃ】様々な実施形態による、通常のシステムとフラクショナルシステムとの間の可能な整合時間の例を示す図。
【図８】様々な実施形態による、異なるフラクショナルシステム同士の間の移動の例を示す図。
【図９】様々な実施形態による、フラクショナル帯域幅機能性を含むデバイスのブロック図。
【図１０】様々な実施形態による、フラクショナル帯域幅を利用するように構成されたモバイルデバイスのブロック図。
【図１１】様々な実施形態による、フラクショナル波形を利用するように構成され得る通信システムのブロック図。
【図１２】様々な実施形態による、基地局とモバイルデバイスとを含むワイヤレス通信システムのブロック図。
【図１３】様々な実施形態による、ワイヤレス通信のための方法のフロー図。
【図１４】様々な実施形態による、ワイヤレス通信のための方法のフロー図。
【図１５】様々な実施形態による、ワイヤレス通信のための方法のフロー図。
【詳細な説明】
【００４２】
[0058]ワイヤレス通信のためのフラクショナル帯域幅とフラクショナル波形とを提供するための方法、システム、およびデバイスが説明される。実施形態は、標準波形、通常の波形、および／またはレガシー波形に適合するために十分広くない可能性があるスペクトルの部分を利用することが可能である。スケーリング係数は、スペクトルのこれらの部分に適合するためのフラクショナル波形を生成するために利用され得る。いくつかの実施形態では、フラクショナルサブシステムは、通常のサブシステムの時間に対してフラクショナルサブシステムの時間を拡張すること（dilating）、または縮小すること（scaling down）によって、通常のサブシステムに関して生成され得る。スケーリング係数は、通常のサブシステムまたは別のフラクショナルサブシステムとフラクショナルサブシステムの状態、および／もしくは周波数など、あるサブシステムの態様を別のサブシステムの態様と関連付けるために利用されることも可能である。フラクショナルサブシステムは異なる時間にかつ／または異なる周波数で通常のサブシステムまたは別のフラクショナルサブシステムと整合され得る。他のサブシステムに関する測定を実行するために、他のサブシステムへのハンドオフを実行するために、再選択、整合などを実行するために、スケーリング情報が利用され得る。場合によっては、より大きな波形を生成するため、または標準波形よりもより大きな帯域幅を利用するために、フラクショナル帯域幅も利用され得る。
【００４３】
[0059]スケーリング係数は、一般に、あるサブシステムの１つまたは複数の態様を別のサブシステムの１つまたは複数の態様と関連付けるために利用され得る。サブシステムは、フラクショナルサブシステムおよび／または通常のサブシステムを含むことが可能である。いくつかの実施形態は、２つ以上のサブシステムに関してスケーリングされた測定単位を利用することが可能である。２つ以上のサブシステムに関してスケーリングされた測定単位の基礎値がスケーリング係数によって関連付けられ得る。
【００４４】
[0060]スペクトルの部分は標準波形、通常の波形、および／またはレガシー波形に適合するために十分大きくないので、いくつかの実施形態は、オペレータによって現在使用されていない可能性があるスペクトルのそれらの部分を利用することが可能である。スペクトルの各部分の幅に応じて、スペクトルの異なる部分に関して異なるスケーリング係数が利用され得る。
【００４５】
[0061]本明細書で説明される技法が、ＣＤＭＡシステム、ＴＤＭＡシステム、ＦＤＭＡシステム、ＯＦＤＭＡシステム、ＳＣ−ＦＤＭＡシステム、および他のシステムなど、様々なワイヤレス通信システムに関して使用され得る。「システム」および「ネットワーク」という用語は、多くの場合、交換可能に使用される。ＣＤＭＡシステムは、ＣＤＭＡ２０００、地上波無線アクセス（ＵＴＲＡ）などの無線技術を実装することができる。ＣＤＭＡ２０００は、ＩＳ−２０００標準、ＩＳ−９５標準、ＩＳ−８５６標準、および後継標準（successor standards）をカバーすることが可能である。ＩＳ−２０００リリース０およびＡは、一般に、ＣＤＭＡ２０００  １Ｘ、１Ｘなどと呼ばれる。ＩＳ−８５６（ＴＩＡ−８５６）は、一般に、ＣＤＭＡ２０００  １ｘＥＶ−ＤＯ、高速パケットデータ（ＨＲＰＤ）などと呼ばれる。ＵＴＲＡは、広帯域ＣＤＭＡ（ＷＣＤＭＡ（登録商標））と、ＣＤＭＡの他の変形とを含む。ＴＤＭＡシステムは、Ｇｌｏｂａｌ  Ｓｙｓｔｅｍ  ｆｏｒ  Ｍｏｂｉｌｅ  Ｃｏｍｍｕｎｉｃａｔｉｏｎｓ（ＧＳＭ（登録商標））などの無線技術を実装することができる。ＯＦＤＭＡシステムは、ウルトラモバイルブロードバンド（ＵＭＢ）、進化型ＵＴＲＡ（Ｅ−ＵＴＲＡ）、ＩＥＥＥ８０２．１１（Ｗｉ−Ｆｉ（登録商標））、ＩＥＥＥ８０２．１６（ＷｉＭＡＸ）、ＩＥＥＥ８０２．２０、フラッシュＯＦＤＭなどの無線技術を実装することができる。ＵＴＲＡおよびＥ−ＵＴＲＡは、ユニバーサル移動通信システム（ＵＭＴＳ）の一部である。３ＧＰＰロングタームエボリューション（ＬＴＥ）およびＬＴＥ−アドバンスト（ＬＴＥ−Ａ）は、Ｅ−ＵＴＲＡを使用する、ＵＭＴＳの新しいリリースである。ＵＴＲＡ、Ｅ−ＵＴＲＡ、ＵＭＴＳ、ＬＴＥ、ＬＴＥ−Ａ、およびＧＳＭは、「第３世代パートナーシッププロジェクト」（３ＧＰＰ）と名付けられた組織からの文書で説明されている。ＣＤＭＡ２０００およびＵＭＢは、「第３世代パートナーシッププロジェクト２」（３ＧＰＰ２）と名付けられた組織からの文書で説明されている。本明細書で説明される技法は、上述のシステムおよび無線技術、ならびに他のシステムおよび無線技術に関して使用され得る。
【００４６】
[0062]したがって、以下の説明は、請求項に記載される範囲、適用可能性、または構成の限定ではなく、例を提供する。本開示の趣旨および範囲から逸脱せずに、議論される要素の機能および構成において変更がされ得る。様々な実施形態は、必要に応じて、様々な手順または構成要素を省略、置換、または追加することが可能である。たとえば、説明される方法は、説明される順序とは異なる順序で実行されてよく、様々なステップが追加され得、省略され得、または組み合せられ得る。また、ある実施形態に関して説明される特徴が他の実施形態内に組み合せられ得る。
【００４７】
[0063]まず図１を参照すると、ブロック図は様々な実施形態によるワイヤレス通信システム１００のある例を示す。システム１００は、基地局１０５と、モバイルデバイス１１５と、基地局コントローラ１２０と、コアネットワーク１３０とを含む（いくつかの実施形態では、コントローラ１２０はコアネットワーク１３０内に統合され得、いくつかの実施形態では、コントローラ１２０は基地局１０５内に統合され得る）。システム１００は、複数のキャリア（異なる周波数の波形信号）上の動作をサポートすることができる。マルチキャリア送信機は、変調信号を複数のキャリア上で同時に送信することができる。各変調信号は、符号分割多元接続（ＣＤＭＡ）信号、時分割多元接続（ＴＤＭＡ）信号、周波数分割多元接続（ＦＤＭＡ）信号、直交ＦＤＭＡ（ＯＦＤＭＡ）信号、シングルキャリアＦＤＭＡ（ＳＣ−ＦＤＭＡ）信号などであってよい。各変調信号は、異なるキャリア上で送信され得、制御情報（たとえば、パイロット信号）、オーバヘッド情報、データなどを搬送することができる。システム１００は、ネットワークリソースを効率的に割り当てることができるマルチキャリアＬＴＥネットワークであってよい。
【００４８】
[0064]モバイルデバイス１１５は、任意のタイプの移動局、モバイルデバイス、アクセス端末、加入者ユニット、またはユーザ装置であってよい。モバイルデバイス１１５は、セルラ電話およびワイヤレス通信デバイスを含むことが可能であるが、携帯情報端末（ＰＤＡ）、スマートフォン、他のハンドヘルドデバイス、ネットブック、ノートブックコンピュータなどを含むことも可能である。したがって、モバイルデバイスという用語は、請求項を含めて、以下で、任意のタイプのワイヤレス通信デバイスまたはモバイル通信デバイスを含むように広く解釈されるべきである。
【００４９】
[0065]基地局１０５は、基地局アンテナを介してモバイルデバイス１１５とワイヤレスに通信することができる。基地局１０５は、複数のキャリアを介して、コントローラ１２０の制御下でモバイルデバイス１１５と通信するように構成され得る。基地局１０５サイトの各々は、それぞれの地理的領域に関する通信カバレッジを提供することができる。いくつかの実施形態では、基地局１０５は、ノードＢ、ｅノードＢ、ホームノードＢ、および／またはホームｅノードＢなどと呼ばれる場合がある。ここでは、各基地局１０５に関するカバレッジ領域は、１１０−ａ、１１０−ｂ、または１１０−ｃとして識別される。基地局に関するカバレッジ領域は（図示されないが、カバレッジ領域の一部だけを構成する）セクタに分割され得る。システム１００は、異なるタイプの基地局１０５（たとえば、マクロ基地局、ミクロ基地局、フェムト基地局、および／またはピコ基地局）を含むことが可能である。本明細書で使用される場合、「セル」とう用語は、１）セクタ、または２）サイト（たとえば、基地局１０５）を指す場合がある。したがって、「マクロセル」という用語は、１）マクロセルセクタ、２）マクロセル基地局（たとえば、マクロセル基地局１０５）、および／または３）マクロセルコントローラを指す場合がある。したがって、「フェムトセル」という用語は、１）フェムトセルセクタ、または２）フェムトセル基地局（たとえば、フェムトセルアクセスポイント）を指す場合がある。
【００５０】
[0066]下の議論に関して、モバイルデバイス１１５は、複数の基地局１０５によって促進されるマクロネットワークまたは類似のネットワーク上で動作することができる（ネットワーク上に「キャンプする（camped on）」）。各基地局１０５は、比較的大きな（たとえば、半径数百メートルから数キロメートルの）地理的領域をカバーすることができ、サービス加入により端末による無制限アクセスを可能にすることができる。モバイルデバイス１１５の一部はまた、マクロセル基地局１０５のカバレッジ領域内で（たとえば、場合によっては、フェムトセルアクセスポイント（ＦＡＰ）と呼ばれる場合があるフェムトセル基地局１０５と通信する）フェムトセルカバレッジ領域内で動作するために登録される（または、そうでない場合、動作することが可能にされる）ことが可能である。
【００５１】
[0067]例として、フェムトセル基地局１０５は、ホームノードＢ（「ＨＮＢ」）またはホームｅノードＢ（ＨｅＮＢ）として実装され得、住居、オフィスビルなど、ユーザ構内（premises）に配置され得る。いくつかの実施形態では、マクロセル基地局は、ノードＢまたはｅノードＢによって実装され得る。
【００５２】
[0068]モバイルデバイス１１５、基地局１０５、コアネットワーク１３０、および／またはコントローラ１２０など、システム１００の異なる態様は、様々な実施形態に従って、フラクショナル帯域幅とフラクショナル波形とを利用するように構成され得る。システム１００は、たとえば、モバイルデバイス１１５と基地局１１５との間の伝送（transmissions）１２５を示す。伝送１２５は、モバイルデバイス１１５から基地局１０５へのアップリンク伝送、および／または基地局１０５からモバイルデバイス１１５へのダウンリンク伝送を含むことが可能である。伝送１２５は、フラクショナル波形および／または通常の波形を含むことが可能である。通常の波形は、レガシー波形および／または標準波形と呼ばれる場合もある。
【００５３】
[0069]システム１００の異なる態様は、標準波形に適合するために十分大きくない可能性があるスペクトルの部分を利用することができる。モバイルデバイス１１５、基地局１０５、コアネットワーク１３０、および／またはコントローラ１２０などのデバイスは、フラクショナル帯域幅および／もしくはフラクショナル波形を生成ならびに／または利用するためにスケーリング係数を利用するように構成され得る。場合によっては、これらのデバイスは、通常の波形、レガシー波形、および／または標準波形が適合しない可能性があるスペクトルの部分に適合するためのフラクショナル波形を生成することができる。システム１００のいくつかの態様は、通常のサブシステムの時間に対してフラクショナルサブシステムの時間を拡張すること、または、縮小することによって、（他のモバイルデバイス１１５および／または基地局１０５を使用して実装され得る）通常のサブシステムに関して生成され得る（あるモバイルデバイス１１５および／または基地局１０５など）フラクショナルサブシステムを形成することが可能である。スケーリングはまた異なるサブシステムの状態および／または周波数に適用され得る。フラクショナルサブシステムのデバイス（たとえば、モバイルデバイス１１５および／もしくは基地局１０５）に関するタイミングならびに／または伝送１２５は、異なる時間にかつ／または異なる周波数で、通常のサブシステムの他デバイス（たとえば、モバイルデバイス１１５および／もしくは基地局１０５）からのタイミングならびに／または伝送と整合され得る。他のサブシステムに関する測定を実行するために、他のサブシステムへのハンドオフを実行するために、システム１００の異なる態様に関する再選択、整合などを実行するために、スケーリング情報が利用され得る。
【００５４】
[0070]システム１００の様々な態様は、概して、システム１００内であるサブシステムの１つまたは複数の態様を別のサブシステムの１つまたは複数の態様と関連付けるために、スケーリング係数を利用することが可能である。サブシステムは、フラクショナルサブシステムおよび／または通常のサブシステムを含むことが可能である。いくつかの実施形態は、２つ以上のサブシステムに関してスケーリングされた測定単位を利用することが可能である。２つ以上のサブシステムに関してスケーリングされた測定単位の基礎値はスケーリング係数によって関連付けられ得る。
【００５５】
[0071]上述のように、フラクショナルサブシステムは、通常の波形よりもより小さな帯域幅を占有するフラクショナル波形を生成するために利用され得る。たとえば、帯域境界（band edge）で、通常の波形を配置する（place）ために利用可能なスペクトルが十分存在しない場合がある。フラクショナルサブシステムの場合、時間が拡張されるにつれて、波形によって占有される周波数は下がり、それによって、フラクショナル波形が、通常の波形に適合するために十分広くない可能性があるスペクトルに適合することを可能にする。いくつかの実施形態では、追加の基地局識別子を提供する目的で、追加のＰＮオフセットを生成するためにフラクショナルサブシステムも利用され得る。スケーリング情報は、他のサブシステムに関する測定を実行するために、他のサブシステムへのハンドオフを実行するために、再選択、整合などを実行するために利用され得る。図２Ａは、フラクショナル波形２１０−ａが、通常の波形２１５−ａおよび／または２１５−ｂなど、通常の波形に適合するために十分広くないスペクトルの部分に適合する、基地局１０５−ａとモバイルデバイス１１５−ａとを有する、図１のシステム１００のある例であってよい、ワイヤレス通信システム２００−ａの例を示す。これらの波形は、たとえば、図１に示された１つまたは複数の伝送１２５の一部であり得る。図２Ｂは、基地局１０５−ｂとモバイルデバイス１１５−ｂとを有する、図１のシステム１００のある例であってよい、ワイヤレス通信システム２００−ｂの例を示し、この場合、波形２１５−ｃなど、通常の波形が適合できないガード（guard）帯域であってよい、帯域の境界に近接するスペクトルの部分に適合することが可能なフラクショナル波形−２１０−ｂ。たとえば、これらの波形は、図１に示されたような１つまたは複数の伝送１２５の一部であり得る。
【００５６】
[0072]上で議論したように、フラクショナル波形は、通常の波形よりもより小さな帯域幅を占有する波形であり得る。したがって、フラクショナル帯域幅システムにおいて、通常の帯域幅システムと比較して、より長い持続期間にわたって同じ数のシンボルとビットとが送信され得る。これは、結果として、時間伸長（time stretching）をもたらす場合があり、それによって、スロット持続期間、フレーム持続期間などがスケーリング係数Ｎだけ増大し得る。スケーリング係数Ｎは、フラクショナル帯域幅（ＢＷ）に対する通常の帯域幅の比率を表すことが可能である。したがって、フラクショナル帯域幅システムのデータレートは、（通常のレート×１／Ｎ）に等しくてよく、遅延は（通常の遅延×Ｎ）に等しくてよい。一般に、フラクショナルシステムチャネルＢＷ＝通常のシステムのチャネルＢＷ／Ｎである。遅延×ＢＷは変更されない状態のままであり得る。
【００５７】
[0073]いくつかの実施形態は他のスケーリング係数を利用することが可能である。たとえば、いくつかの実施形態は、（拡張した時間単位と呼ばれる場合がある）拡張した単位Ｄおよび／もしくは（減少した周波数単位と呼ばれる場合がある）減少した単位Ｒを判断ならびに／または生成することが可能である。Ｄ単位とＲ単位は両方とも単位無しであってよい。拡張した単位Ｄは、値Ｎを有することが可能である。フラクショナルシステムの時間は、「拡張した時間」の点で参照される場合がある。たとえば、正常時間の、たとえば、１０ｍｓのスロットは、フラクショナル時間（fractional time）で１０Ｄｍｓであり得る（注記：正常時間においてすら、これは当てはまるが、これは正常時間でＮ＝１であるためであり、Ｄは１の値を有し、したがって、１０Ｄｍｓ＝１０ｍｓである）。時間スケーリングにおいて、いくつかの実施形態は、大部分の「秒」を「拡張した秒」で置換することが可能である。いくつかの実施形態は、１／Ｎに等しい場合がある減少した単位Ｒを利用することが可能である。たとえば、周波数はＲＨｚであってよい。キャリア周波数はスケーリングされなくてよい。たとえば、電力制御は８００ＲＨｚであってよい。たとえば、チップレートは、１．２２８８ＭｃｐＤｓまたは１．２２８８ＭＲＨｚ（もしくはＲＭＨｚ）であってよい。フラクショナルサブシステムは、異なるフラクショナルサブシステムおよび／もしくは通常のサブシステムの異なる態様同士の間の関係を表すためならびに／または提供するために、拡張した単位Ｄおよび／または減少した単位Ｒを利用することが可能である。
【００５８】
[0074]本明細書を通して、通常のシステム、サブシステム、および／または波形という用語は、１に等しくてよいスケーリング係数（たとえば、Ｎ＝１）を利用することが可能な実施形態に関する、システム、サブシステム、および／または波形を指すために利用され得る。これらの通常のシステム、サブシステム、および／または波形は、標準システム、標準サブシステム、および／もしくは標準波形、ならびに／またはレガシーシステム、レガシーサブシステム、および／もしくはレガシー波形と呼ばれる場合がある。さらに、フラクショナルシステム、フラクショナルサブシステム、および／またはフラクショナル波形は、１に等しくなくてよいスケーリング係数（たとえば、Ｎ＝２、４、８、１／２、１／４など）を利用することが可能な実施形態に関する、システム、サブシステム、および／または波形を指すために利用され得る。Ｎ＞１の場合、波形の帯域幅は減少し得る。いくつかの実施形態は、帯域幅を増大させるスケーリング係数を利用することが可能である。たとえば、Ｎ＜１である場合、波形は標準波形よりもより大きい帯域幅をカバーするために拡張され得る。場合によっては、フラクショナルシステム、フラクショナルサブシステム、および／またはフラクショナル波形は、フレキシブルシステム、フレキシブルサブシステム、および／またはフレキシブル波形と呼ばれる場合もある。たとえば、フラクショナルシステム、フラクショナルサブシステム、および／またはフラクショナル波形は帯域幅を変更する場合があり、または変更しない場合もある。フラクショナルシステム、フラクショナルサブシステム、またはフラクショナル波形は通常のシステム、通常のサブシステム、または通常の波形（たとえば、Ｎ＝１システム）よりもより多くの可能性を提供することができるので、フラクショナルシステム、フラクショナルサブシステム、またはフラクショナル波形はフレキシブルであり得る。場合によっては、スケーリング係数は無理数をとってもよい。状況によっては、スケーリング係数は、負の値をとってもよい。
【００５９】
[0075]図１、図２Ａおよび／もしくは図２Ｂのモバイルデバイス１１５ならびに／または基地局１０５など、モバイルデバイスおよび／または基地局は、（通常のおよびフラクショナル）デュアルモード（dual mode）で動作するように構成され得る。たとえば、モバイルデバイスからサービスに関する要求を受信するとすぐ、基地局は、モバイルデバイスがフラクショナル帯域幅波形を使用することが可能であることを判断することができる。基地局は、そのフラクショナル帯域幅に関する中央周波数および／またはスケーリング係数をモバイルデバイスに送信することができる。モバイルデバイスは、新しいチャネルに合わせて調整して、サービスを受けるために、それに応じて、スケーリング係数を利用することができる。モバイルデバイスは、それ自体がフラクショナル帯域幅チャネル上で通信するように構成することができる。いくつかの実施形態では、モバイルデバイスおよび／または基地局は、フラクショナル帯域幅波形を利用するために、図３のシステムクロックレジーム３００（system clocks regime）内に示されるＡＤＣクロック３１０、ＤＡＣクロック３２０、処理クロック３３０、および／またはオフラインクロック３４０の周波数を変更することができる。システムクロックレジーム３００はまた、ＡＤＣクロックおよび／またはＤＡＣクロック３２０と通信するアナログベースバンドモジュール３５０を示す。アナログベースバンドモジュール３５０は、オフラインクロック３４０および／または処理クロック３３０と通信することが可能なベースバンド処理モジュール３６０と通信することができる。これらのクロック３１０〜３４０は、たとえば、ブロック処理率、中断率（interrupt rate）、デシメーション率、および／または補間率を制御することができる。いくつかの実施形態では、オフラインクロック３４０は変更されなくてよい。いくつかの実施形態では、ＡＤＣクロック３１０とＤＡＣクロック３２０とをフィルタリングして、同じに保つことによって、ＡＤＣ３１０クロックおよびＤＡＣ３２０クロックの効果的な出力を変更され得る。場合によっては、ＡＤＣクロック３１０は、同じに保たれて、１つおきにサンプルをデシメートすることができる。たとえば、ＤＡＣクロック３２０は、同じに保たれて、同じサンプルのうち２つをフィードする（たとえば、繰り返される）ことが可能である（フィルタリングされることすら可能である）。これは、Ｎ＝２システムに関して、クロックを２だけ遅らせるのと同じ効果を有し得る。いくつかの実施形態は、オフラインクロック３４０を含まなくてもよい。いくつかの実装形態は、処理クロック３３０を含むことが可能である。処理クロック３３０はオフラインモードでなくてよい。処理クロック３３０を遅らせてよく、または遅らせなくてもよい。
【００６０】
[0076]いくつかの実施形態では、基地局は、通常のチャネルとフラクショナルチャネルとを同時に送信することができる。同様に、モバイルデバイスは、通常のチャネルとフラクショナルチャネルとを同時に送信することができる。フラクショナルチャネルは、スケーリング係数を利用することによって生成され得、同じ無線技術のものであってよく、または異なる無線技術のものであってもよい。チャネルは両方とも、データおよび／またはシグナリングを含むことが可能である。シグナリングは、それらのチャネルにキャンプおよび／または付属されるモバイルデバイスを構成するために使用され得る。シグナリングは、２つのチャネルの間のモバイルデバイス移動を管理するためにも使用され得る。
【００６１】
[0077]フラクショナル帯域幅波形の使用は、マシンツーマシン、小規模セル展開（フェムト、ピコ、メトロなど）、２Ｇスペクトルを超えた３Ｇサービスのロールアウト（roll out）（ＧＳＭ再フレーミング（re-framing））、適度の（moderate）データレートサービス、および／または音声サービスを含むが、これらに限定されない多くのアプリケーションを有する。
【００６２】
[0078]単に例として、図４Ａ、４Ｂ、および４Ｃは、様々な実施形態による、フィルタリングの手段によってスケーリングする例を示す。フィルタリングは、フィルタ、デシメーション、アベレージなどを含むことが可能である。図４Ａで、通常の波形４００−ａ（すなわち、Ｎ＝１）が通常のレートでサンプリングされ得る。サンプルポイントは黒丸（filled dots）で示される。図４Ｂは、フラクショナル波形４００−ｂ（Ｎ＝２、たとえば、チップ長が２倍）を示す。図４Ｂでは、サンプルレートは、図４の半分である。サンプルポイントは黒丸で示される。図４Ｃは、サンプルレートが図４Ａ、通常の波形に見られるのと同じである、フラクショナル波形４００−ｃのある実施形態である。黒丸は、図４Ｂと同じである。白丸（open dots）は（たとえば、同等のポイントが図４Ａに存在しない）フィルタリングされたポイントである。
【００６３】
[0079]同じ概念が受信される経路に適用され得る。同等物（counterpart）は、図４Ａが通常の波形に関するサンプルポイントである場合であろう。図４Ｂは、フラクショナル波形に関するサンプルポイントであり得る。図４Ｃは、図４Ａにあるようなサンプルレートを用いて、フラクショナルシステムに関してサンプリングされた波形である。処理ユニットに送信される前に、白丸はデシメートまたはフィルタリング（たとえば、平均化）のいずれかを行われ得る。
【００６４】
[0080]いくつかの実施形態では、フラクショナルサブシステムの、たとえば、状態、周波数、および／または時間は、スケーリング係数Ｎを利用してスケーリングされ得る。スケーリング係数Ｎは、整数値、有理数、および／または無理数を含むが、これらに限定されない様々な値をとってよい。このように、通常のサブシステムからフラクショナルサブシステムに関する状態、時間、周波数、または他の態様が計算され得、逆も同様である。いくつかの実施形態は、複数のフラクショナルサブシステムを含むことが可能である。あるフラクショナルサブシステムの状態、時間、周波数、または他の態様は別のフラクショナルサブシステムから計算され得、逆も同様である。実際には、いくつかの実施形態は、フラクショナルサブシステムの時間の感覚（sense）を変更することを伴う場合がある。いくつかの実施形態は、通常のサブシステムを有さない場合がある。いくつかの実施形態は、複数のフラクショナルサブシステムを有する場合がある。これらのサブシステムは、異なるスケーリング係数を有することが可能である。
【００６５】
[0081]いくつかの実施形態では、時間の感覚は通常のサブシステムの時間の感覚と同じままでよく、スケーリング係数に応じて、コードクロックだけが調整され得る。ｃｄｍａ２０００では、たとえば、コードクロックは、ショートコード生成器とロングコード生成器の組み合された状態である。ショートコードは、チップ内で測定されたシステム時間モジュロ（modulo）２15に設定されてよく、ロングコードは、システム時間モジュロ２42−１に設定されなければならない。クロックを設定することは２つのステップを含み得る。第１に、時間を２つの期間２15および２42−１で除算した後、剰余（remainders）が計算され得る。これらは、各生成器が通常のサブシステムに関してそのゼロ基準状態からオフセットされ得る状態の数である。第２に、状態の数に対応する生成器状態が判断され得る。スケーリング係数によってさらに修正することによって、各生成器がフラクショナルサブシステムに関してその基準状態からオフセットされ得る状態の数が取得され得る。いくつかの実施形態では、状態はフレーム番号（たとえば、ＳＦＮ）であってよい。いくつかの実施形態では、状態はサイクル番号であってよい。
【００６６】
[0082]いくつかの実施形態では、時間の感覚は通常のサブシステム内に保つことが可能である。フラクショナルサブシステムおよび通常のサブシステムは共同設置されてよい。いくつかの実施形態では、フラクショナルサブシステムは、通常のチャネルに対するコチャネル（co-channel）であり得るフラクショナルチャネルであってよい。フラクショナルサブシステムによって見られるように、時間ごとに行われる（たとえば、フラクショナル）作業は変更されていない。しかし、通常のサブシステムから見ると、フラクショナルサブシステムの時間感覚はＮ倍遅く（N times slower）進んでいる。さらに、通常のサブシステムから見ると、フラクショナルサブシステムの状態のうちのいくつかはＮ倍遅く進んでいる場合があり、または、状態はＮ倍遅く遷移している。
【００６７】
[0083]通常のサブシステムとフラクショナルサブシステムとが互いに対して整合され得る（または、知られている値によってオフセットされ得る）。通常のサブシステムおよびフラクショナルサブシステムは周期的に再整合され得る（この場合も、オフセットが存在する場合があり、オフセットは異なってよい）。たとえば、サブシステムを毎日午前零時ごと（every midnight）に整合され得る。このシステムでは、通常のサブシステムの１日は午前零時から午前零時（翌日）へと移る。Ｎ＝２のフラクショナルサブシステムは、その拡張した時間またはフラクショナル時間で午前零時から正午（＝翌日の午前零時）へと移る場合がある。他の整合も利用され得る。サブシステムは、たとえば、毎年１月１日の午前零時ごとに整合され得る。また、いくつかの実施形態は、整合するために１個の点を選択して、フラクショナルサブシステムと通常のサブシステムの両方にその瞬間より先行させることが可能である。２つの異なるフラクショナルサブシステムはまた互いに対して整合および／またはオフセットされ得る。
【００６８】
[0084]時間を整合させることは、時間の計算と、１つのサブシステムが他のサブシステムの状態（たとえば、ＰＮ状態、ＰＮロールオーバ（rollover））および／または時間（たとえば、スロット境界、フレーム境界、フレーム番号）を知る能力とを可能にする。この情報は、サブシステム同士の間で再選択手順、ハンドオフ手順、インターキャリア測定手順、および／または周波数測定手順を実行するためにも利用され得る。さらに、フラクショナルシステムの時間のスケールは変更されているので、フラクショナルサブシステムの実装形態および標準は、時間のスケーリングされたバージョンを有する通常のサブシステムとごく類似することになる。同様に、フラクショナルサブシステムによって占有された周波数は、通常のサブシステムに対してより低い周波数を占有することが可能である。この例はＮ＞１に関するが、実施形態は拡大されても（たとえば、Ｎ＜１）同様によく動作する。いくつかの実施形態では、Ｎは、整数、有理数、さらに無理数をとってよい。
【００６９】
[0085]新しい時間感覚は、ワイヤレス通信システムの残りの部分に伝搬し得る。たとえば、スタック上の上層（higher）はこの時間の感覚を共有することができ、正常時間感覚が必要とされ得るまで使用され得る。たとえば、アプリケーション層は、フラクショナルシステム内で正常時間に留まる（remain）ことが可能である。それはたとえば、毎秒ｒバイトのＱｏＳを要求する場合がある。これはＭＡＣ内のクラスにマッピングすることができる。この例では、ＭＡＣはフラクショナル時間感覚（fractional sense of time）内にあることになる。変換器（translator）は毎秒ｒバイトから（拡張した秒（Dilated second）当たり）ｒ*Ｎバイトへの要求を変換することができる。この例では、ＭＡＣはフラクショナル時間（すなわち、「相対的時間」）感覚内にあるので、それは正常時間感覚で毎秒ｒバイトに等しい毎秒ｒ*Ｎバイトを要求する可能性がある。これを考えるための１つの様式は、Ｄ＝Ｎであり、したがって、拡張した秒当たりｒ*Ｎバイト＝毎秒ｒバイトであるということである。ＭＡＣは、続いて、標準または実装形態ごとにその表内にこのエントリーを見つけて、通常のサブシステムにおけるように、これを継続することになる。
【００７０】
[0086]フラクショナルサブシステムを作成するための時間のスケーリングは、ＣＤＭＡシステム（たとえば、ＩＳ−９５、ＣＤＭＡ２０００、ＥＶ−ＤＯ、ＷＣＤＭＡ、ＨＳＰＡ）、ＴＤＭＡシステム（たとえば、ＧＳＭ、ＥＤＧＥ、ＧＰＲＳ）、および／またはＯＦＤＭＡシステム（たとえば、ＷｉＭａｘ、ＬＴＥ、ＬＴＥ−Ａ、８０２．１１ａなど）に適用され得る。
【００７１】
[0087]いくつかの実施形態では、時間が拡張する（縮小する）につれて、波形によって占有された帯域幅は減少する。スケーリングの量は比例的であり得る。スケーリング比率としてＮが使用され、Ｗが信号の帯域幅である場合、Ｎ1Ｗ1はＮ2Ｗ2に等しい可能性がある。
【００７２】
[0088]ＩＳ−９５ファミリーでは、通常の波形は、たとえば、Ｎ＝１、Ｗ＝１．２３ＭＨｚであり得る。１／２（たとえば、Ｎ＝２）に縮小した場合、帯域幅はＷ＝１．２３ＭＨｚ／２＝６１５ｋＨｚであり得る。１／４（たとえば、Ｎ＝４）に縮小した場合、帯域幅はＷ＝１．２３ＭＨｚ／４＝３０７．５ｋＨｚであり得る。
【００７３】
[0089]これらの例はＣＤＭＡ例であり、同じ技法がＯＦＤＭ、ＴＤＤ、ＴＤＭＡなどで作用させられ得る。これらの他のワイヤレスアクセス技術に関して、他の技術において他の係数が考慮され得る。たとえば、ＯＦＤＭでは、ガード時間はＮを用いてスケーリングされるべきではないので、サイクリック（cyclic）プレフィックスのうちの一部を取り消す（take back）ことができる。場合によっては、スロット内により多くのシンボルを得ることが可能である。さらに、単純なＮを用いて示されているが、Ｎは、分数、有理数などを含む、任意の正数であってよい。場合によっては、たとえば、状態が逆行（go backwards）できるように、Ｎは負であってもよい。
【００７４】
[0090]実施形態は、通常のシステム（Ｎ＝１）から時間をスケーリングすることを伴う場合がある。フラクショナルシステムの状態および／または時間は適切にスケーリングされ得る。このようにして、通常の波形／元の波形からフラクショナル波形に関する状態（たとえば、時間）が計算され得、逆も同様である。状態と時間とは関連付けられ得る。たとえば、我々がシステムの状態／時間を知っている場合、チップシーケンス（たとえば、ロングコード、ショートコード）、時間境界（たとえば、スロットタイミング、フレームタイミング）、番号付け（たとえば、スロット番号、システムフレーム番号（ＳＦＮ））が推論され得る。システムの状態および／または時間は、システムとキャンプ／通信するために有用であり得る。たとえば、Ｎ＝１システムからＮ＝２システムを再選択することを望む場合、状態／タイミングを知ることは、端末がＮ＝２システムをより容易に見つけることを可能にし得る（たとえば、新しいシステムのピークがどこであり得るかを先験的に（a priori）知ることができる）。
【００７５】
[0091]いくつかの実施形態は、通常のおよびフラクショナルが何時に整合されることになるかを設定すること（または、知られている値でオフセットすること）を伴う場合がある。場合によっては、通常の、および「フラクショナル」が再度整合されることになる（オフセットされることが可能であり、オフセットは異なってよい）時間も設定され得る。たとえば、いくつかの実施形態は、毎日午前零時に整合されることを選択することが可能である。このシステムでは、通常のシステムの１日は、午前零時から午前零時（翌日）へと移ることが可能である。Ｎ＝２のフラクショナルシステムは、午前零時から正午（＝翌日の午前零時）へと移ることが可能である。Ｎ＝４のフラクショナルシステムは、午前零時から午前６時（＝翌日の午前零時）へと移ることが可能である。（注記。１日の長さはフラクショナルシステムにおいてより短く、先験的に知られ得る）。
【００７６】
[0092]いくつかの実施形態は、他の整合を伴う場合がある。たとえば、いくつかの実施形態は、１月１日の午前零時ごとに整合することを選択することが可能である。この場合、通常のシステムは、１年目の１月１日の午前零時から翌年の１月１日の午前零時へと移ることが可能である。Ｎ＝２のシステムは、（平年であると仮定して）１月１日の午前零時から１８２日（７月１日）の正午へと移ることが可能である。Ｎ＝４のシステムは、（平年であると仮定して）第９１日目（４月１日）の午前６時へと移ることが可能である。
【００７７】
[0093]いくつかの実施形態は、（オフセットの有無にかかわらず）固定時間（たとえば、１９８０年１月６日）に整合して、Ｎ＝１およびＮ＝２システムを進展させることが可能である。多くのシステムにおいて、時間スケーリングに関して、うるう年が考慮に入れられてよく、または入れられなくてもよい。
【００７８】
[0094]時間オフセットおよび時間整合はシステム全体に関して同じでなくてよい。それは単に知られる必要がある。たとえば、ＷＣＤＭＡでは、共同設置されたＷＣＤＭＡキャリアに関してだけ整合を有することはより容易であり得る。現在のオフセットは他のパーティー（端末または基地局）に通信され得る。時間整合されたシステム内でより効果的なセルＩＤを生成するためにオフセットも使用され得る。場合によっては、それは共同設置されていないフラクショナルサイト（fractional site）に関して有用であり得る（たとえば、オフセットは極めて小さくてよく（たとえば、チップ）、またはより大きくてもよい（たとえば、日））。たとえば、セルｉｄはＰＮオフセットであってよい。コードのシーケンス、または特定の時間におけるそのコードの状態として、セルが識別され得る。
【００７９】
[0095]通常のシステムの時間／状態がフラクショナルから計算され得（逆も同様であり、またはある部分から別の部分が計算され得）、基地局および／または端末は他のシステム内の状態を知ることができる。この情報は再選択、ハンドオフ、インターキャリア／周波数測定などで使用され得る。状態の例はＰＮ状態／オフセットである。これは、結果として、整合時間にフラクショナルシステム内のＰＮ状態／オフセットの変更をもたらす場合がある。暗示的なハンドオフとしてこれが処理され得る。また、これは、結果として、フラクショナルシステムの時間内にジャンプをもたらし得る。フラクショナルシステムの時間内のジャンプはまた、整合が（たとえば、午前零時ごとに、毎週、毎年１月１日など）周期的に行われるときに発生し得る。
【００８０】
[0096]図５Ａは、様々なＮ値に関するＰＮ状態の例を示す。図５Ａでは、Ｎ＝１システム５００−ａ、Ｎ＝１システムから見たＮ＝２システム５００−ｂ、Ｎ＝３システム５００−ｃ、およびＮ＝４システム５００−ｄに関して、同じオフセットに関するＰＮロール（roll）が考慮される。Ｎ＝１に関するＰＮ円上の４つの基準点５０１−ａ、５０２−ａ、５０３−ａ、および５０４−ａが考慮され、これらは、Ｎ＝１システム内の観察者によって理解されるように、Ｎ＞１システムでクロックが「より遅く」実行するときの、Ｎ＝２システムに関するＰＮ円内の様々な位置（５０１−ｂ、５０２−ｂ、５０３−ｂ、および５０４−ｂ）、Ｎ＝３システムに関するＰＮ円内の位置（５０１−ｃ、５０２−ｃ、５０３−ｃ、および５０４−ｃ）、Ｎ＝４システムに関するＰＮ円内の位置（５０１−ｄ、５０２−ｄ、５０３−ｄ、および５０４−ｄ）に対応する。クロックはその相対的な世界で「正確な」速度で実行することができる。図５からわかるように、フラクショナルシステムに関するＰＮロールの任意の時点で時間がリセットされる場合、ＰＮ円内の基準点の位置に応じて、ＰＮ状態および／またはオフセット内、かつ時間内にも「ジャンプ」が存在し得る。時間整合の間のＰＮオフセット内のこの変更は暗示的なハンドオフとして処理され得、モバイルデバイスにとって、それはあるＰＮオフセットから別のＰＮオフセット（同じ周波数、同じＮ）へのハンドオフとして出現し得る。
【００８１】
[0097]単なる例として、図５Ｂは、ＰＮコードのロール内でＮ＝１システム５７０とＮ＝２システム５６０との間で時間整合が発生するときにａ３  ５６１からａ５  ５６２にジャンプし得るＮ＝２システム５６０を有するシステム５５０のある例を示す。これはロングＰＮコードとショートＰＮコードの両方に適用可能であり得ることに留意されたい。ＰＮオフセットがショートＰＮコードと関連付けられ得るため、ショートＰＮコードのコンテキスト（context）で以下が説明され得る。したがって、同じＮ（すなわち、Ｎ＝２）、同じキャリア周波数、同じセクタの場合、ＰＮオフセットはモバイルによって理解されるように変更し、これはモバイルデバイスによって理解される「暗示的な」ハンドオフに相当し得る。いくつかの実施形態では、Ｎ＝２システム５６０用の基地局は、（１つまたは複数の）時間整合インスタントの後、新しいＰＮオフセットにハンドオフするようにモバイルデバイスに指示することができる。別の実施形態では、モバイルデバイスは、時間整合インスタントおよび時間整合前のＮ＝２システム５６０のＰＮ状態の知識からＰＮオフセット変更を単独で計算することができる。さらに別の実施形態では、基地局およびモバイルデバイスは、ＰＮオフセット状態変更を一緒に判断することができる。
【００８２】
[0098]剰余を残さずに、２つの後続の整合時間の差をきっちりと除算することができる通常のシステムに関するＰＮロール時間によって乗算され得るＮの値に関して、時間整合はＰＮロールの開始とも整合するため、ＰＮ状態変更は存在し得ないことに留意されたい。Ｎ＞１システムに関するＰＮロール時間はＮ＝１システムに関するＰＮロール時間のＮ倍であるため、これは、Ｎ＞１システムの場合、Ｎ＞１システムに関するＰＮロール時間が、剰余を残さずに、２つの後続の整合時間の差をきっちりと除算する場合、時間整合はＰＮロールの開始とも整合するため、ＰＮ状態変更は存在しない場合があることを暗示し得る。したがって、時間内にジャンプが存在し得るが、ＰＮ状態内にジャンプは存在し得ない。先に留意されたように、上記はショートＰＮコードとロングＰＮコードの両方に適用可能であり得る。
【００８３】
[0099]たとえば、ＰＮ状態変更は存在しない場合があり、したがって、時間整合がＮ＞１システムのショートＰＮロールの開始とも整合する（すなわち、連続的な時間整合同士の間のデルタがＮ*２６．６６７ｍｓによってきっちりと除算可能である）場合、ＰＮオフセット変更は存在しない。そうでない場合、ＰＮ状態変更が存在する可能性があり、結果として、ＰＮオフセット変更が存在し得る。
【００８４】
[0100]図６Ａは、通常のサブシステム６０１−ａ（Ｎ＝１）とフラクショナルサブシステム６０２−ａ（Ｎ＝２）および６０４−ａ（Ｎ＝４）との間の可能な整合６００−ａのある例を示す。この例は、時間が時間Ｔ＝ＴＳ６１０−ａで整合される事例を示す。通常の（Ｎ＝１）時間Ｔ＝ＴＳ＋Ｔ１  ６２１−ａにおいて、それはフラクショナル相対時間のＴＳ＋Ｔ１／Ｎに対応する（すなわち、Ｎ＝２の場合、Ｔ＝ＴＳ＋Ｔ１／２  ６２２−ａであり、Ｎ＝４の場合、Ｔ＝ＴＳ＋Ｔ１／４  ６２４−ａである）。通常の（Ｎ＝１）時間Ｔ＝ＴＳ＋ＴＥ  ６３１−ａにおいて、それはフラクショナル相対時間のＴＳ＋ＴＥ／Ｎに対応する（すなわち、Ｎ＝２の場合、Ｔ＝ＴＳ＋ＴＥ／２  ６３２−ａであり、Ｎ＝４の場合、Ｔ＝ＴＳ＋ＴＥ／４  ６３４−ａである）。他の整合も可能である。図６Ｂに示されるように、通常のサブシステム６０１−ｂ（Ｎ＝１）とフラクショナルサブシステム６０２−ｂ（Ｎ＝２）および６０４−ｂ（Ｎ＝４）との間の終端整合（end alignment）６００−ｂが可能である。この例は、時間が時間Ｔ＝ＴＳ＋ＴＥ  ６１０−ｂで整合される事例を示す。通常の（Ｎ＝１）時間Ｔ＝ＴＳ＋Ｔ１  ６２１−ｂで、それはフラクショナル相対時間のＴ＝（Ｎ−１）（ＴＳ＋ＴＥ）／Ｎ＋Ｔ１／Ｎに対応する（すなわち、Ｎ＝２の場合、Ｔ＝（ＴＳ＋ＴＥ＋Ｔ１）／２  ６２２−ｂであり、Ｎ＝４の場合、Ｔ＝（３ＴＳ＋３ＴＥ＋Ｔ１）／４  ６２４−ｂである）。通常の（Ｎ＝１）時間Ｔ＝ＴＳ  ６３１−ｂで、それはフラクショナル相対時間の（Ｎ−１）（ＴＳ＋ＴＥ）／Ｎに対応する（すなわち、Ｎ＝２の場合、Ｔ＋（ＴＳ＋ＴＥ）／２  ６３２−ｂであり、Ｎ＝４の場合、Ｔ＝３（ＴＳ＋ＴＥ）／４  ６３４−ｂである）。図６Ｃに示されるように、通常のサブシステム６０１−ｃ（Ｎ＝１）とフラクショナルサブシステム６０２−ｃ（Ｎ＝２）および６０４−ｃ（Ｎ＝４）との間の中央整合（middle alignment）６００−ｃが可能である。Ｔ＝ＴＡ  ６１０−ｃにおける中央整合は、異なるＮに関して最小の最大時間差（the smallest max time difference）を有する場合がある。通常の（Ｎ＝１）時間Ｔ＝ＴＳ  ６２１−ｃで、それはフラクショナル相対時間のＴ＝ＴＳ＋（Ｎ−１）（ＴＡ−ＴＳ）／Ｎに対応する（すなわち、Ｎ＝２の場合、Ｔ＝（ＴＡ＋ＴＳ）／２  ６２２−ｃであり、Ｎ＝４の場合、Ｔ＝（ＴＡ＋ＴＳ）／４  ６２４−ｃである）。通常の（Ｎ＝１）時間Ｔ＝ＴＡ−Ｔ１  ６３１−ｃで、それはフラクショナル相対時間のＴ＝ＴＡ−Ｔ１／Ｎに対応する（すなわち、Ｎ＝２の場合、Ｔ＝ＴＡ−Ｔ１／２  ６３２−ｃであり、Ｎ＝４の場合、Ｔ＝ＴＡ−Ｔ１／４  ６３４−ｃである）。通常の（Ｎ＝１）時間Ｔ＝ＴＡ＋Ｔ２  ６４１−ｃで、それはフラクショナル相対時間のＴ＝ＴＡ＋Ｔ２／Ｎに対応する（すなわち、Ｎ＝２の場合、Ｔ＝ＴＡ＋Ｔ２／２  ６４２−ｃであり、Ｎ＝４の場合、Ｔ＝ＴＡ＋Ｔ２／４  ６４４−ｃである）。通常の（Ｎ＝１）時間Ｔ＝ＴＡ＋ＴＥ  ６５１−ｃで、それはフラクショナル相対時間のＴ＝ＴＡ＋ＴＥ／Ｎに対応する（すなわち、Ｎ＝２の場合、Ｔ＝ＴＡ＋ＴＥ／２  ６５２−ｃであり、Ｎ＝４の場合、Ｔ＝ＴＡ＋ＴＥ／４  ６５４−ｃである）。
【００８５】
[0101]いくつかの実施形態は、他のオフセットを有することが可能であり、異なるＮに関して異なるオフセットすら有することが可能である。いくつかの実施形態は、時間とともに変化するオフセットを有することが可能である。いくつかの実施形態は、経時的な（over time）Ｎ変更を有することが可能である。いくつかの実施形態では、（１つまたは複数の）システムは、任意のＮがまさに何時に任意の他のＮと相対することになるかを知ることができる（たとえば、Ｎ＝１）。
【００８６】
[0102]時間を報告するための複数の選択肢が存在する。たとえば、図６Ａに示されるように、ＴＳ＋Ｔ１の正常時間で、Ｎ＝１システムはＴＳ＋Ｔ１であり得る。一実施形態では、Ｎ＝２システムはＴＳ＋Ｔ１（たとえば、絶対時間）を報告することができる。別の実施形態では、Ｎ＝２システムはＴＳ＋Ｔ１／２（たとえば、相対時間）を報告することができる。
【００８７】
[0103]時間報告のある例は、シンク（sync）チャネルメッセージである。相対時間と絶対時間とを報告することに利点が存在し得る。たとえば、絶対時間に関して、時間は絶対時間に近接し得る。しかし、現在のメッセージ分解能（resolution）は、何らかのＮを有する正確な時間を可能にしない場合がある（たとえば、不十分な分解能）。相対時間に関して、システムは、メッセージ構造を変更する必要なしに、時間を正確に報告することができる。しかし、端末は、両方のＵＩに関して絶対時間に変換しなければならない場合があり、かつ異なるＮに対する再選択に備えて変換しなければならない場合がある。
【００８８】
[0104]図７Ａ、７Ｂ、および７Ｃは、異なる整合時間構成７００−ａ、７００−ｂ、および７００−ｃの例をそれぞれ示す。整合点（alignment points）は異なってよい。整合点は一度発生して、フリーラン（free run）させることが可能である。整合点はより低い頻度であってよい（たとえば、年）。整合点はより頻繁に発生してもよい（たとえば、日、時間単位）。たとえば、構成７００−ａは、１個の整合点を有する、Ｎ＝１システム７０１−ａとＮ＝２システム７０２−ａとを示す。構成７００−ｂは、５個の整合点を有する、Ｎ＝１システム７０１−ｂとＮ＝２システム７０２−ｂとを示す。構成７００−ｃは、１２個の整合点を有する、Ｎ＝１システム７０１−ｃとＮ＝２システム７０２−ｃとを示す。
【００８９】
[0105]図８は、異なるスケーリング係数Ｎ同士の間で移動するか、または異なるフラクショナルシステム同士の間で移動するシステム８００のある例を示す。この例では、時間はＴ＝０  ８１０で整合される。この例は、Ｔ＝０でＮ＝４システム８０４内で開始する。相対時間Ｔ＝Ｔ１／４  ８２４（絶対時間Ｔ１  ８２１）で、Ｎ＝２システム８０２に移動する。Ｎ＝２で、相対時間はＴ＝Ｔ１／２  ８２２である。相対時間Ｔ２／２  ８３２で、Ｎ＝１システム８０１に移動する。それは絶対時間Ｔ＝Ｔ２  ８３１に対応する。
【００９０】
[0106]実施形態は、異なるアプリケーションを提供し得る。たとえば、いくつかの実施形態は、経時的なＮの変更または端末の移動を支援するために、オフセットを整合することができる。たとえば、システムが、たとえば、午後５時（正常時間）に、端末の多くをあるキャリアから異なるＮを有する別のキャリアに移動させることを望む場合、その相対時間がやはり午後５時になるように、システムは他のフラクションオフセットを有することが可能である。何の時間変更も存在しないので、これはハンドオフ／再選択をより容易にすることができる。いくつかの実施形態は、オフセットを数チップ程度の小さい時間変更に整合させることが可能である。これは追加のＢＳオフセットを効果的に可能にすることができる。これは多数のより小さなセルに関して有利であり得る。これはセルプランニング（planning）をより容易にすることができる。
【００９１】
[0107]いくつかの実施形態は、以下の専門用語を利用する場合がある。新しい単位Ｄが利用され得る。単位Ｄは拡張される。この単位は単位無しであり、Ｎの値を有する。「拡張した時間」の観点から、フラクショナルシステムの時間について語ることができる。たとえば、正常時間の、たとえば、１０ｍｓのスロットが、フラクショナル時間で１０Ｄｍと表され得る（注記。正常時間においてすら、これは当てはまるが、これは正常時間でＮ＝１であるためであり、Ｄは１の値を有し、したがって、１０Ｄｍｓ＝１０ｍｓである）。時間スケーリングでは、大部分の「秒」を「拡張した秒（dilated-seconds）」で置換することができる。周波数はヘルツでは毎秒１ヘルツであることに留意されたい。
【００９２】
[0108]いくつかの実施形態は、単位無しであり、１／Ｎに等しい、別の新しい単位Ｒ（減少した）を利用する場合がある。たとえば、周波数はＲＨｚであってよい。キャリア周波数はスケーリングされなくてよい。たとえば、電力制御は８００ＲＨｚであってよい。たとえば、チップレートは１．２２８８ＭｃｐＤｓまたは１．２２８８ＭＲＨｚ（もしくは、ＲＭＨｚ）であってよい。
【００９３】
[0109]専門用語を用いて、通常の（たとえば、完全）システムと比べて、フラクショナル時間システム内で何をスケーリングして、何をスケーリングしないかを迅速に理解することができる。この命名法（nomenclature）は時間にも利用され得る。たとえば、（Ｎ＝４システム内の）３：００Ｄａｍ＝（Ｎ＝１システムの）正午であり、この場合、時間は午前零時ごとに整合される。しかし、これを行うには、ゼロ／整合された時間に整合させなければならない場合がある。
【００９４】
[0110]次に、図９を参照すると、ブロック図は、スケーリング係数の機能性を含むデバイス９００を例示する。デバイス９００は、図１、図２Ａ、図２Ｂ、図１０、図１１、および／もしくは図１２を参照して説明されたモバイルデバイス１１５のある例であってよく、かつ／またはフラクショナル帯域幅の機能性を統合したデバイス（たとえば、図１、図２Ａ、図２Ｂ、図１１、および／もしくは図１２を参照して説明された基地局１０５）であってもよい。デバイス９００はプロセッサであってもよい。デバイス９００は、受信機モジュール９０５、スケーリングモジュール９１０、フラクショナルサブシステムモジュール９１５、および／または送信機モジュール９２０を含むことが可能である。これらの構成要素の各々は互いと通信することができる。
【００９５】
[0111]デバイス９００のこれらの構成要素は、個々にまたは集合的に、ハードウェア内の適用可能な機能のうちのいくつかまたはすべてを実行するように適応された、１つまたは複数の特定用途向け集積回路（ＡＳＩＣ）とともに実装され得る。代替的に、これらの機能は、１つまたは複数の集積回路上で１つまたは複数の他の処理ユニット（または、コア）によって実行され得る。他の実施形態では、当技術分野で知られている任意の様式でプログラムされ得る他のタイプの集積回路（たとえば、ストラクチャード（Structured）ＡＳＩＣ／プラットフォームＡＳＩＣ、フィールドプログラマブルゲートアレイ（ＦＰＧＡ）、および他のセミカスタムＩＣ）が使用され得る。各ユニットの機能はまた、全部または一部、１つまたは複数の汎用プロセッサまたは特定用途プロセッサによって実行されるようにフォーマットされた、メモリ内に包含される命令とともに実装され得る。
【００９６】
[0112]受信機モジュール９０５は、デバイス９００が何を受信または送信したかに関するパケット、データ、および／またはシグナリング情報などの情報を受信することができる。受信された情報は、様々な目的で、スケーリングモジュール９１０および／またはフラクショナルサブシステムモジュール９１５によって利用され得る。
【００９７】
[0113]いくつかの実施形態では、デバイス９００、ならびにそのモジュール９０５、９１０、９１５、および／または９２０は、スケーリング係数を利用するワイヤレス通信のために構成され得る。いくつかの実施形態では、デバイス９００、ならびにそのモジュール９０５、９１０、９１５、および／または９２０は、フラクショナル帯域幅を利用するワイヤレス通信のために構成され得る。たとえば、デバイス９００は、ワイヤレス通信システムのためにスケーリング係数を利用するように構成され得る。スケーリングモジュール９１０は、ワイヤレス通信システムの第１のサブシステムと第２のサブシステムとを識別することができる。スケーリングモジュール９１０は、第１のサブシステムおよび第２のサブシステムに関するスケーリング係数を判断することができる。スケーリングモジュール９１０は、スケーリング係数を利用して、第１のサブシステムの１つまたは複数の態様を第２のサブシステムの１つまたは複数の態様と関連付けることができる。
【００９８】
[0114]たとえば、デバイス９００は、様々な実施形態による、ワイヤレス通信システムに関するフラクショナルサブシステムを生成するように構成され得る。フラクショナルサブシステムモジュール９１５は、ワイヤレス通信システム内の第１のサブシステムを識別することができる。スケーリングモジュール９１０は、第１のサブシステムに関する時間スケーリング係数を判断することができる。フラクショナルサブシステムモジュール９１５は、ワイヤレス通信システム内で第２のサブシステムを生成することができる。第２のサブシステムは、第１のフラクショナルサブシステムを含むことが可能である。スケーリング係数を利用して、第１のサブシステムの態様が第２のサブシステムの態様と関連付けられ得る。
【００９９】
[0115]いくつかの実施形態では、スケーリング係数は時間スケーリング係数である。いくつかの実施形態では、スケーリング係数は状態スケーリング係数である。いくつかの実施形態では、スケーリング係数は周波数スケーリング係数であってよい。いくつかの特定の実施形態では、スケーリング係数は、Ｎスケーリング係数、Ｄスケーリング係数、および／またはＲスケーリング係数と呼ばれる場合がある。たとえば、いくつかの実施形態は、少なくとも第１のサブシステムまたは第２のサブシステムに関してスケーリングされた測定単位を利用することが可能である。第１のサブシステム内および第２のサブシステム内のスケーリングされた測定単位の基礎値はスケーリング係数によって関連付けられ得る。スケーリングされた測定単位は、Ｄｍｓなど、少なくとも拡張した時間単位であってよく、またはＲＨｚなど、減少した周波数単位であってもよい。スケーリングされた測定単位は、Ｄおよび／またはＲなど、単位無しであってよい。場合によっては、第２のサブシステムのスケーリングされた測定単位とリンクされた値は、第１のサブシステムのスケーリングされた測定単位とリンクされた値と同じである。
【０１００】
[0116]フラクショナルサブシステムモジュール９１５は、スペクトルの部分を識別することであって、第１のサブシステムの第１の波形がスペクトルのその部分の帯域幅を超える、識別することを行うようにさらに構成可能である。フラクショナルサブシステム９１５は、次いで、スケーリング係数を用いて、ワイヤレス通信システムの第２のサブシステムの第１のフラクショナル波形を生成することが可能である。第２のサブシステムの第１のフラクショナル波形帯域幅は、スペクトルのその部分の帯域幅内に適合し得る。
【０１０１】
[0117]スケーリングモジュールおよび／またはフラクショナルサブシステムモジュール９１５は、フィルタリング、平均化、デシメーションを含むが、これらに限定されない、様々なプロセスを利用して、スケーリング係数を実装することができる。
【０１０２】
[0118]フラクショナルサブシステムモジュール９１５および／またはスケーリングモジュール９１０は、時間スケーリング係数と、第１のサブシステムの少なくとも時間、持続期間、周波数、または状態とを利用して、第２のサブシステムの少なくとも時間、持続期間、周波数、または状態を判断するようにさらに構成され得る。フラクショナルサブシステムモジュール９１５は、スケーリング係数を利用して、第１のサブシステムから第２のサブシステムへのハンドオーバを実行するようにさらに構成され得る。
【０１０３】
[0119]フラクショナルサブシステムモジュール９１５および／またはスケーリングモジュール９１０は、第１のサブシステムと第２のサブシステムとを初めて整合させるようにさらに構成され得る。第１のサブシステムと第２のサブシステムとを整合させることは、周期的にを含めて、複数回行われてよい。
【０１０４】
[0120]フラクショナルサブシステムモジュール９１５および／またはスケーリングモジュール９１０は、第１のサブシステムと第２のサブシステムとの間で時間を整合させるようにさらに構成され得る。時間整合は、結果として、状態変更をもたらさない場合がある。いくつかの実施形態では、時間整合は、結果として、状態変更をもたらす場合がある。状態は、ショートＰＮコードまたはロングＰＮコードの状態を指す場合がある。状態変更は、結果として、ＰＮオフセット変更をもたらす場合がある。いくつかの実施形態では、状態変更はショートＰＮコード状態変更であってよい。ＰＮオフセット変更は、モバイルデバイスへの暗示的なハンドオフに相当し得る。いくつかの実施形態では、ＰＮオフセット変更は、少なくとも１つまたは複数の時間整合インスタント、整合前の状態、またはスケーリング係数の知識からモバイルデバイスによって単独で判断され得る。ＰＮオフセット変更は、少なくとも基地局またはコアネットワークからモバイルデバイスに通信され得る。いくつかの実施形態では、ＰＮオフセット変更は、少なくともモバイルデバイスと少なくとも基地局またはコアネットワークとによって共同で判断され得る。
【０１０５】
[0121]フラクショナルサブシステムモジュール９１５および／またはスケーリングモジュール９１０は、第１のオフセット値を利用して、第１のサブシステムに対して第２のサブシステムをオフセットするようにさらに構成され得る。フラクショナルサブシステムモジュール９１５は、第１の基地局を識別する状態を判断すること、および／または新しい基地局識別子を生成するために、第２のサブシステムのオフセット値と状態を組み合せることを行うようにさらに構成され得る。状態は、いくつかの実施形態では、ＰＮ状態であってよく、または時間であってもよい。第１のサブシステムに対して第２のサブシステムをオフセットすることは、第１のオフセット値とは異なる第２のオフセット値を利用することが可能である。
【０１０６】
[0122]フラクショナルサブシステムモジュール９１５および／またはスケーリングモジュール９１０は、第２のサブシステムの少なくとも判断された時間、判断された持続期間、判断された周波数、または判断された状態と、第１のサブシステムの少なくとも時間、持続期間、周波数、または状態とを少なくとも再選択手順、ハンドオフ手順、インターキャリア測定手順、または周波数測定手順の一部として利用するようにさらに構成され得る。フラクショナルサブシステムモジュール９１５は、スケーリング係数と、第２のサブシステムの少なくとも時間、周波数、または状態とを利用して、第１のサブシステムの少なくとも時間、周波数、または状態を判断するようにさらに構成され得る。いくつかの実施形態では、第１のサブシステムは通常のサブシステムである。いくつかの実施形態では、第１のサブシステムは別のフラクショナルサブシステムである。いくつかの実施形態では、第１のサブシステムおよび第２のサブシステムは共同設置されない。
【０１０７】
[0123]いくつかの実施形態では、スケーリングモジュール９１０は、（拡張した時間単位と呼ばれる場合がある）拡張した単位Ｄおよび／もしくは（減少した周波数単位と呼ばれることがある）減少した単位Ｒを判断ならびに／または生成するようにも構成され得る。Ｄ単位とＲ単位は両方とも単位無しであってよい。拡張した単位Ｄは値Ｎを有することが可能である。フラクショナルシステムの時間は、「拡張した時間」の観点から参照される場合がある。たとえば、正常時間の、たとえば、１０ｍｓのスロットは、フラクショナル時間の１０Ｄｍｓであり得る（注記：正常時間においてすら、これは当てはまるが、これは正常時間でＮ＝１であるためであり、Ｄは１の値を有し、したがって、１０Ｄｍｓ＝１０ｍｓである）。時間スケーリングにおいて、いくつかの実施形態は、大部分の「秒」を「拡張した秒」で置換することが可能である。いくつかの実施形態は、１／Ｎに等しい場合がある減少した単位Ｒを利用することが可能である。たとえば、周波数はＲＨｚであってよい。キャリア周波数はスケーリングされなくてよい。たとえば、電力制御は８００ＲＨｚであってよい。たとえば、チップレートは、１．２２８８ＭｃｐＤｓまたは１．２２８８ＭＲＨｚ（もしくはＲＭＨｚ）であってよい。フラクショナルサブシステムモジュール９１５は、異なるフラクショナルサブシステムおよび／もしくは通常のサブシステムの異なる態様同士の間の関係を表すためならびに／または提供するために、拡張した単位Ｄおよび／または減少した単位Ｒを利用することが可能である。
【０１０８】
[0124]スケーリングモジュール９１０は、整数値、有理数、および／または無理数を含むことが可能なスケーリング係数を判断することができる。
【０１０９】
[0125]図１０は、様々な実施形態による、スケーリング係数および／またはフラクショナル帯域幅を利用するように構成されたモバイルデバイス１１５−ｃのブロック図１０００である。モバイルデバイス１１５−ｃは、（たとえば、ラップトップコンピュータ、ネットブックコンピュータ、タブレットコンピュータなど）パーソナルコンピュータ、セルラ電話、ＰＤＡ、デジタルビデオレコーダ（ＤＶＲ）、インターネット器具（appliances）、ゲームコンソール、電子リーダなど、様々な構成のうちのいずれかを有することが可能である。モバイルデバイス１１５−ｃは、モバイル操作を促進するための、小型電池など、内部電力供給装置（図示せず）を有することが可能である。いくつかの実施形態では、モバイルデバイス１１５−ｃは、図１、図２Ａ、図２Ｂ、図１１、および／もしくは図１２のモバイルデバイス１１５、ならびに／または図９のデバイス９００であってよい。モバイルデバイス１１５−ｃはマルチモードモバイルデバイスであってよい。モバイルデバイス１１５−ｃは、場合によっては、ワイヤレス通信デバイスと呼ばれる場合がある。
【０１１０】
[0126]モバイルデバイス１１５−ｃは、各々、（たとえば、１つもしくは複数のバスを介して）直接的または間接的に互いと通信することが可能なアンテナ１０４０と、トランシーバモジュール１０５０と、メモリ１０８０と、プロセッサモジュール１０７０とを含むことが可能である。上で説明されたように、トランシーバモジュール１０５０は、アンテナ１０４０および／または１つもしくは複数のワイヤードリンクまたはワイヤレスリンクを介して、１つもしくは複数のネットワークと双方に通信するように構成される。たとえば、トランシーバモジュール１０５０は、図１、図２Ａ、図２Ｂ、図１１、および／または図１２の基地局１０５と双方向に通信するように構成され得る。トランシーバモジュール１０５０は、パケットを変調して、伝送のために、変調されたパケットをアンテナ１０４０に提供して、アンテナ１０４０から受信されたパケットを復調することを行うように構成されたモデムを含むことが可能である。モバイルデバイス１１５−ｃは単一のアンテナを含むことが可能であるが、モバイルデバイス１１５−ｃは、複数のリンク用の複数のアンテナ１０４０を含むことが一般に可能である。
【０１１１】
[0127]メモリ１０８０は、ランダムアクセスメモリ（ＲＡＭ）と読出し専用メモリ（ＲＯＭ）とを含むことが可能である。メモリ１０８０は、実行されたとき、プロセッサモジュール１０７０に本明細書で説明された様々な機能（たとえば、呼処理、データベース管理、メッセージルーティングなど）を実行させるように構成された命令を含むコンピュータ可読、コンピュータ実行可能ソフトウェアコード１０８５を記憶することができる。代替的に、ソフトウェア１０８５は、プロセッサモジュール１０７０によって直接実行可能でなくてよいが、（たとえば、コンパイルおよび実行されたとき）コンピュータに本明細書で説明された機能を実行させるように構成され得る。
【０１１２】
[0128]プロセッサモジュール１０７０は、インテリジェントハードウェアデバイス、たとえば、Ｉｎｔｅｌ（登録商標）ＣｏｒｐｏｒａｔｉｏｎまたはＡＭＤ（登録商標）によって作成されたような中央処理装置（ＣＰＵ）、マイクロコントローラ、特定用途向け集積回路（ＡＳＩＣ）などを含むことが可能である。プロセッサモジュール１０７０は、マイクロフォンを介して音声を受信して、その音声を、受信された音声を表す（たとえば、長さ３０ｍｓの）パケットに変換して、音声パケットをトランシーバモジュール１０５０に提供して、ユーザが話しているかどうかの表示を提供することを行うように構成された音声エンコーダ（speech encoder）（図示せず）を含むことが可能である。代替的に、エンコーダは、パケットそれ自体が、ユーザが話しているかどうかの表示を提供するという規定（provision）または留保（withholding）／抑制（suppression）付きで、パケットをトランシーバモジュール１０５０に提供することだけが可能である。
【０１１３】
[0129]図１０のアーキテクチャによれば、モバイルデバイス１１５−ｃは、通信管理モジュール１０６０をさらに含むことが可能である。通信管理モジュール１０６０は、他のモバイルデバイス１１５との通信を管理することができる。例として、通信管理モジュール１０６０は、バスを介してモバイルデバイス１１５−ｃの他の構成要素のうちのいくつかまたはすべてと通信する、モバイルデバイス１１５−ｃの構成要素であってよい。代替的に、通信管理モジュール１０６０の機能性は、トランシーバモジュール１０５０の構成要素として、コンピュータプログラム製品として、かつ／またはプロセッサモジュール１０７０の１つもしくは複数のコントローラ要素として実装され得る。
【０１１４】
[0130]モバイルデバイス１１５−ｃに関する構成要素は、図９のデバイス９００に関して上で議論された態様を実装するように構成可能であり、簡潔にするために、ここで繰り返されない場合がある。たとえば、スケールモジュール９１０−ａは、図９のスケーリングモジュール９１０であってよい。フラクショナルサブシステムモジュール９１５−ａは、図９のフラクショナルサブシステムモジュール９１５であってよい。
【０１１５】
[0131]モバイルデバイス１１５−ｃは、スペクトル識別モジュール１０１５を含むことも可能である。スペクトル識別モジュール１０１５は、フラクショナル波形に関して利用可能なスペクトルを識別するために利用され得る。いくつかの実施形態では、ハンドオーバモジュール１０２５は、ある基地局から別の基地局へのモバイルデバイス１１５−ｃのハンドオーバ手順を実行するために利用され得る。たとえば、ハンドオーバモジュール１０２５は、ある基地局から別の基地局へのモバイルデバイス１１５−ｃのハンドオーバ手順を実行することができ、この場合、通常の波形は、モバイルデバイス１１５−ｃと基地局のうちの１つとの間で利用され、フラクショナル波形はモバイルデバイスと別の基地局との間で利用される。整合モジュール１０１０は、通常のシステムおよび／もしくはフラクショナルシステムの間で整合ならびに／またはオフセットを実行するように構成され得る。
【０１１６】
[0132]いくつかの実施形態では、トランシーバモジュール１０５０は、モバイルデバイス１１５−ｃの他の可能な構成要素と一緒に、アンテナ１０４０とともに、フラクショナル波形および／もしくはスケーリング係数に関する情報をモバイルデバイス１１５−ｃから基地局またはコアネットワークに送信することができる。いくつかの実施形態では、トランシーバモジュール１０５０は、これらのデバイスまたはシステムがフラクショナル波形を利用することができるように、モバイルデバイス１１５−ｃの他の可能な構成要素と一緒に、アンテナ１０４０とともに、フラクショナル波形および／もしくはスケーリング係数などの情報を基地局またはコアネットワークに送信することができる。
【０１１７】
[0133]図１１は、様々な実施形態による、スケーリング係数および／またはフラクショナル波形を利用するように構成され得る通信システム１１００のブロック図を示す。このシステム１１００は、図１に示されたシステム１００、図２Ａのシステム２００−ａ、図２Ｂのシステム２００−ｂ、および／または図１２のシステム１２００の態様のある例であってよい。基地局１０５−ｃは、各々、（たとえば、１つもしくは複数のバスを介して）直接的または間接的に互いと通信することが可能なアンテナ１１４５と、トランシーバモジュール１１５０と、メモリ１１７０と、プロセッサモジュール１１６５とを含むことが可能である。トランシーバモジュール１１５０は、アンテナ１１４５を介して、マルチモードモバイルデバイスであってよいモバイルデバイス１１５−ｄと双方向に通信するように構成され得る。トランシーバモジュール１１５０（および／または、基地局１０５−ｃの他の構成要素）は、１つまたは複数のネットワークと双方向に通信するようにも構成され得る。場合によっては、基地局１０５−ｃは、ネットワーク通信モジュール１１７５を介して、ネットワーク１３０−ａおよび／またはコントローラ１２０−ａと通信することができる。基地局１０５−ｃは、ｅノードＢ基地局、ホームｅノードＢ基地局、ノードＢ基地局、および／またはホームノードＢ基地局のある例であってよい。場合によっては、コントローラ１２０−ａは、ｅノードＢ基地局となど、基地局１０５−ｃ内に統合され得る。
【０１１８】
[0134]基地局１０５−ｃは、基地局１０５−ｍおよび基地局１０５−ｎなど、他の基地局１０５と通信することも可能である。基地局１０５の各々は、異なる無線アクセス技術など、異なるワイヤレス通信技術を使用して、モバイルデバイス１１５−ｄと通信することができる。場合によっては、基地局１０５−ｃは、基地局通信モジュール１１１５を利用して、１０５−ｍおよび／または１０５−ｎなど、他の基地局と通信することができる。いくつかの実施形態では、基地局通信モジュール１１１５は、基地局１０５のうちのいくつかの間に通信を提供するために、ＬＴＥワイヤレス通信技術内のＸ２インターフェースを提供することができる。いくつかの実施形態では、基地局１０５−ｃは、コントローラ１２０−ａおよび／またはネットワーク１３０−ａを介して、他の基地局と通信することができる。
【０１１９】
[0135]メモリ１１７０は、ランダムアクセスメモリ（ＲＡＭ）と読出し専用メモリ（ＲＯＭ）とを含むことが可能である。メモリ１１７０は、実行されたとき、プロセッサモジュール１１６５に本明細書で説明された様々な機能（たとえば、呼処理、データベース管理、メッセージルーティングなど）を実行させるように構成された命令を含むコンピュータ可読、コンピュータ実行可能ソフトウェアコード１１７１を記憶することも可能である。代替的に、ソフトウェア１１７１は、プロセッサモジュール１１６５によって直接的に実行可能でなくてよいが、たとえば、コンパイルおよび実行されたとき、コンピュータに本明細書で説明された機能を実行させるように構成され得る。
【０１２０】
[0136]プロセッサモジュール１１６５は、インテリジェントハードウェアデバイス、たとえば、Ｉｎｔｅｌ（登録商標）ＣｏｒｐｏｒａｔｉｏｎまたはＡＭＤ（登録商標）によって作成されるような中央処理装置（ＣＰＵ）、マイクロコントローラ、特定用途向け集積回路（ＡＳＩＣ）などを含むことが可能である。プロセッサモジュール１１６５は、マイクロフォンを介して音声を受信して、その音声を受信された音声を表す（たとえば、長さ３０ｍｓ）のパケットに変換して、その音声パケットをトランシーバモジュール１１５０に提供して、ユーザが話しているかどうかの表示を提供することを行うように構成された音声エンコーダ（図示せず）を含むことが可能である。代替的に、エンコーダは、パケットそれ自体が、ユーザが話しているかどうかの表示を提供するという規定または留保／抑制付きで、パケットをトランシーバモジュール１１５０に提供することだけが可能である。
【０１２１】
[0137]トランシーバモジュール１１５０は、パケットを変調して、伝送のために、変調されたパケットをアンテナ１１４５に提供して、アンテナ１１４５から受信されたパケットを復調することを行うように構成されたモデムを含むことが可能である。基地局１０５−ｃのいくつかの例は、単一のアンテナ１１４５を含むことが可能であるが、基地局１０５−ｃは、好ましくは、キャリアアグリゲーション（carrier aggregation）をサポートすることが可能な複数のリンク用の複数のアンテナ１１４５を含む。たとえば、１つまたは複数のリンクは、モバイルデバイス１１５−ｄとのマクロ通信をサポートするために使用され得る。
【０１２２】
[0138]図１１のアーキテクチャによれば、基地局１０５−ｃは、通信管理モジュール１１３０をさらに含むことが可能である。通信管理モジュール１１３０は、他の基地局１０５との通信を管理することができる。例として、通信管理モジュール１１３０は、バスを介して、基地局１０５−ｃの他の構成要素のうちのいくつかまたはすべてと通信する、基地局１０５−ｃの構成要素であってよい。代替的に、通信管理モジュール１１３０の機能性は、トランシーバモジュール１１５０の構成要素として、コンピュータプログラム製品として、かつ／またはプロセッサモジュール１１６５の１つもしくは複数のコントローラ要素として実装され得る。
【０１２３】
[0139]基地局１０５−ｃに関する構成要素は、図９のデバイス９００に関して上で議論された態様を実装するように構成され得、簡潔にするために、ここで繰り返されない場合がある。たとえば、スケールモジュール９１０−ｂは、図９のスケーリングモジュール９１０−ｂであってよい。フラクショナルサブシステムモジュール９１５−ｂは、図９のフラクショナルサブシステムモジュール９１５であってよい。
【０１２４】
[0140]基地局１０５−ｃは、スペクトル識別モジュール１１１０を含むことも可能である。スペクトル識別モジュール１１１０は、フラクショナル波形に関して利用可能なスペクトルを識別するために利用され得る。いくつかの実施形態では、ハンドオーバモジュール１１２５は、ある基地局１０５から別の基地局へのモバイルデバイス１１５−ｃのハンドオーバ手順を実行するために利用され得る。たとえば、ハンドオーバモジュール１１２５は、基地局１０５−ｃから別の基地局へのモバイルデバイス１１５−ｄのハンドオーバ手順を実行することができ、この場合、通常の波形はモバイルデバイス１１５−ｄと基地局のうちの１つとの間で利用され、フラクショナル波形はモバイルデバイスと別の基地局との間で利用される。整合モジュール１１０５は、通常のシステムおよび／もしくはフラクショナルシステムの間の整合ならびに／またはオフセットを実行するように構成され得る。
【０１２５】
[0141]いくつかの実施形態では、トランシーバモジュール１１５０は、基地局１０５−ｃの他の可能な構成要素と一緒に、アンテナ１１４５とともに、フラクショナル波形および／もしくはスケーリング係数に関する情報を基地局１０５−ｃからモバイルデバイス１１５−ｄに、他の基地局１０５−ｍ／１０５−ｎ、またはコアネットワーク１３０−ａに送信することができる。いくつかの実施形態では、トランシーバモジュール１１５０は、これらのデバイスまたはシステムがフラクショナル波形を利用することができるように、基地局１０５−ｃの他の可能な構成要素と一緒に、アンテナ１１４５とともに、フラクショナル波形および／もしくはスケーリング係数などの情報をモバイルデバイス１１５−ｄに、他の基地局１０５−ｍ／１０５−ｎ、またはコアネットワーク１３０−ａに送信することができる。
【０１２６】
[0142]図１２は、様々な実施形態による、基地局１０５−ｄとモバイルデバイス１１５−ｅとを含むシステム１２００のブロック図である。このシステム１２００は、図１のシステム１００、図２Ａおよび／もしくは図２Ｂのシステム２００、ならびに／または図１１のシステム１１００のある例であってよい。基地局１０５−ｄは、アンテナ１２３４−ａ〜１２３４−ｘを備えられ得、モバイルデバイス１１５−ｅは、アンテナ１２５２−ａ〜１２５２−ｎを備えられ得る。基地局１０５−ｄで、送信プロセッサ１２２０はデータソースからデータを受信することができる。
【０１２７】
[0143]送信プロセッサ１２２０は、データを処理することができる。送信プロセッサ１２２０は、基準シンボル（reference symbol）とセル特定基準信号（reference signal）とを生成することもできる。送信（ＴＸ）ＭＩＭＯプロセッサ１２３０は、適用可能な場合、データシンボル、制御シンボル、および／または基準シンボルに関する空間的な（spatial）処理（たとえば、プリコーディング）を実行することができ、出力シンボルストリームを送信変調器１２３２−ａ〜１２３２−ｘに提供することができる。各変調器１２３２は、出力サンプルストリームを取得するために、（たとえば、ＯＦＤＭなどに関して）それぞれの出力シンボルストリームを処理することができる。各変調器１２３２は、ダウンリンク（ＤＬ）信号を取得するために、出力サンプルストリームをさらに処理（たとえば、アナログに変換、増幅、フィルタリング、およびアップコンバート）することができる。一例では、変調器１２３２−ａ〜１２３２−ｘからのＤＬ信号は、アンテナ１２３４−ａ〜１２３４−ｘを介してそれぞれ送信され得る。送信機プロセッサ１２２０は、フラクショナル帯域幅モジュール１２４０から情報を受信することができる。フラクショナル帯域幅モジュール１２４０は、スケーリング係数を利用することによって、フラクショナル波形を生成するように構成され得る。フラクショナル帯域幅モジュール１２４０は、異なる整合手順および／またはオフセット手順に関しても提供可能である。フラクショナル帯域幅モジュール１２４０は、他のサブシステムに関する測定を実行するため、他のサブシステムへのハンドオフを実行するため、再選択を実行するためなどに、スケーリング情報を利用することも可能である。いくつかの実施形態では、フラクショナル帯域幅モジュール１２４０は、汎用プロセッサ、送信機プロセッサ１２２０、および／または受信機プロセッサ１２３８の一部として実装され得る。送信機プロセッサ１２２０は、システム１２００内のあるサブシステムの１つまたは複数の態様を別サブシステムの１つまたは複数の態様と関連付けるためにスケーリング係数を利用するように構成され得る。
【０１２８】
[0144]モバイルデバイス１１５−ｅにおいて、モバイルデバイスアンテナ１２５２−ａ〜１２５２−ｎは、基地局１０５−ｄからＤＬ信号を受信することができ、受信された信号を復調器１２５４−ａ〜１２５４−ｎにそれぞれ提供することができる。各復調器１２５４は、入力サンプルを取得するために、それぞれ受信された信号を調整する（condition）（たとえば、フィルタリング、増幅、ダウンコンバート、およびデジタル化する）ことができる。各復調器１２５４は、受信されたシンボルを取得するために、（たとえば、ＯＦＤＭなどに関して）入力サンプルをさらに処理することができる。ＭＩＭＯ検出器１２５６は、すべての復調器１２５４−ａ〜１２５４−ｎから受信されたシンボルを取得して、適用可能な場合、受信されたシンボルに関してＭＩＭＯ検出を実行して、検出されたシンボルを提供することができる。受信機プロセッサ１２５８は、検出されたシンボルを処理（たとえば、復調、ディインターリーブ、および復号）して、モバイルデバイス１１５−ｅに関して復号されたデータをデータ出力に提供して、復号された制御情報をプロセッサ１２８０、またはメモリ１２８２に提供することができる。
【０１２９】
[0145]アップリンク（ＵＬ）上で、モバイルデバイス１１５−ｅにおいて、送信プロセッサ１２６４はデータソースからデータを受信して、処理することができる。送信プロセッサ１２６４は、基準信号に関する基準シンボルを生成することもできる。送信プロセッサ１２６４からのシンボルは、適用可能な場合、送信ＭＩＭＯプロセッサ１２６６によってプリコードされ得、（たとえば、ＳＣ−ＦＤＭＡなどに関して）復調器１２５４−ａ〜１２５４−ｎによってさらに処理され得、基地局１０５−ｄから受信された送信パラメータに従って、基地局１０５−ｄに送信され得る。送信機プロセッサ１２６４は、システム１２００内であるサブシステムの１つまたは複数の態様を別のサブシステムの１つまたは複数の態様と関連付けるためにスケーリング係数を利用するように構成され得る。送信機プロセッサ１２６４は、スケーリング係数を利用することによって、フラクショナル波形を生成することを行うようにも構成され得る。送信機プロセッサ１２６４は、フラクショナル帯域幅モジュール１２８０から情報を受信することができる。フラクショナル帯域幅モジュール１２８０は、異なる整合手順および／またはオフセット手順に関して提供可能である。フラクショナル帯域幅モジュール１２８０は、他のサブシステムに関する測定を実行するため、他のサブシステムへのハンドオフを実行するため、再選択を実行するためなどにスケーリング情報を利用することも可能である。基地局１０５−ｄで、モバイルデバイス１１５−ｅからのＵＬ信号は、アンテナ１２３４によって受信され得、復調器１２３２によって処理され得、適用可能な場合、ＭＩＭＯ検出器１２３６によって検出され得、受信プロセッサによってさらに処理され得る。受信プロセッサ１２３８は、復号されたデータをデータ出力に、かつフラクショナル帯域幅モジュール１２８０に提供することができる。いくつかの実施形態では、フラクショナル帯域幅モジュール１２８０は、汎用プロセッサ、送信機プロセッサ１２６４、および／または受信機プロセッサ１２５８の一部として実装され得る。
【０１３０】
[0146]図１３を参照すると、ワイヤレス通信システムに関するスケーリング係数を利用するための方法１３００のフロー図が提供される。方法１３００は、図１、図２Ａ、図２Ｂ、図１０、図１１、および／もしくは図１２に見られるようなモバイルデバイス１１５、図１、図２Ａ、図２Ｂ、図１１、および／もしくは図１２に見られるような基地局１０５、図１および／もしくは図１１に見られるようなコアネットワーク１３０またはコントローラ１２０、ならびに／あるいは図６のデバイス６００および／もしくは図９のデバイス９００を含むが、これらに限定されない様々なワイヤレス通信デバイスを利用して実装され得る。
【０１３１】
[0147]ブロック１３０５で、ワイヤレス通信システム内の第１のサブシステムが識別され得る。ブロック１３１０で、ワイヤレス通信システム内の第２のサブシステムが識別され得る。１３１５で、第１のサブシステムおよび第２のサブシステムに関するスケーリング係数が判断することが可能である。ブロック１３２０で、スケーリング係数を利用して、第１のサブシステムの１つまたは複数の態様が第２のサブシステムの１つまたは複数の態様と関連付けられ得る。
【０１３２】
[0148]第１のサブシステムおよび／または第２のサブシステムはフラクショナルサブシステムであってよい。いくつかの実施形態では、スケーリング係数は時間スケーリング係数である。いくつかの実施形態では、スケーリング係数は状態スケーリング係数である。いくつかの実施形態では、スケーリング係数は周波数スケーリング係数である。いくつかの特定の実施形態では、スケーリング係数は、Ｎスケーリング係数、Ｄスケーリング係数、および／またはＲスケーリング係数と呼ばれる場合がある。たとえば、いくつかの実施形態は、少なくとも第１のサブシステムまたは第２のサブシステムに関してスケーリングされた測定単位を利用することが可能である。第１のサブシステム内および第２のサブシステム内のスケーリングされた測定単位の基礎値はスケーリング係数によって関連付けられ得る。スケーリングされた測定単位は、Ｄｍｓなど、少なくとも拡張した時間単位であってよく、またはＲＨｚなど、減少した周波数単位であってもよい。スケーリングされた測定単位は、Ｄおよび／またはＲなど、単位無しであってよい。場合によっては、第２のサブシステムのスケーリングされた測定単位とリンクされた値は、第１のサブシステムのスケーリングされた測定単位とリンクされた値と同じである。
【０１３３】
[0149]いくつかの実施形態では、方法１３００は、スペクトルの部分を識別することをさらに含むことが可能であり、この場合、第１のサブシステムの第１の波形帯域幅はスペクトルのその部分の帯域幅を超える。ワイヤレス通信システムの第２のサブシステムの第１のフラクショナル波形は、スケーリング係数を利用して生成され得る。第２のサブシステムの第１のフラクショナル波形は、スペクトルのその部分の帯域幅内に適合し得る。
【０１３４】
[0150]方法１３００は、フィルタリングプロセス、平均化プロセス、および／またはデシメーションプロセスを含むが、これらに限定されない様々なプロセスを利用して、スケーリング係数を実装することが可能である。
【０１３５】
[0151]いくつかの実施形態では、方法１３００の、第１のシステムの１つまたは複数の態様を第２のシステムの１つまたは複数の態様と関連付けることは、スケーリング係数と、第１のサブシステムの少なくとも時間、持続期間、周波数、または状態とを利用して、第２のサブシステムの少なくとも時間、持続期間、周波数、または状態を判断することを含むことが可能である。スケーリング係数を使用して、第１のサブシステムから第２のサブシステムへのハンドオーバが実行され得る。
【０１３６】
[0152]いくつかの実施形態では、方法１３００は、第１のサブシステムと第２のサブシステムとを初めて整合することをさらに含むことが可能である。いくつかの実施形態では、方法１３００は、第１のオフセット値を利用して、第１のサブシステムに対して第２のサブシステムをオフセットすることをさらに含むことが可能である。第１の基地局を識別する状態が判断され得る。新しい基地局識別子を生成するために、第２のサブシステムのオフセット値と状態とが組み合せられ得る。いくつかの実施形態では、状態はＰＮ状態であってよく、または時間であってもよい。
【０１３７】
[0153]いくつかの実施形態は、第２のサブシステムの少なくとも判断された時間、判断された持続期間、判断された周波数、または判断された状態と、第１のサブシステムの少なくとも時間、持続期間、周波数、または状態とを少なくとも再選択手順、ハンドオフ手順、インターキャリア測定手順、または周波数測定手順の一部として利用することを含むことが可能である。いくつかの実施形態は、スケーリング係数と、第２のサブシステムの少なくとも時間、周波数、持続期間、もしくは状態とを利用して、第１のサブシステムの少なくとも時間、持続期間、周波数、もしくは状態を判断すること、またはその逆を含むことが可能である。
【０１３８】
[0154]いくつかの実施形態では、第１のサブシステムと第２のサブシステムとを整合させることは、周期的に発生し得る。いくつかの実施形態では、第１のサブシステムに対して第２のサブシステムをオフセットすることは、第１のオフセット値とは異なる第２のオフセット値を利用することが可能である。
【０１３９】
[0155]方法１３００のいくつかの実施形態は、第１のサブシステムと第２のサブシステムとの間で時間を整合させることをさらに含むことが可能である。時間を整合させることは、結果として、状態変更をもたらさない場合がある。いくつかの実施形態では、時間を整合させることは、結果として、状態変更をもたらす場合がある。状態は、ショートＰＮコードまたはロングＰＮコードの状態を指す場合がある。状態変更は、結果として、ＰＮオフセット変更をもたらす場合がある。いくつかの実施形態では、状態変更はショートＰＮコード状態変更であってよい。ＰＮオフセット変更は、モバイルデバイスへの暗示的なハンドオフに相当し得る。いくつかの実施形態では、ＰＮオフセット変更は、少なくとも１つまたは複数の時間整合インスタント、整合の前の状態、またはスケーリング係数の知識からモバイルデバイスによって単独で判断され得る。ＰＮオフセット変更は、少なくとも基地局またはコアネットワークからモバイルデバイスに通信され得る。いくつかの実施形態では、ＰＮオフセット変更は、少なくともモバイルデバイスと少なくとも基地局またはコアネットワークとによって共同で判断され得る。
【０１４０】
[0156]いくつかの実施形態では、スケーリング係数は、整数値、有理数、または無理数を含むことが可能である。いくつかの実施形態では、第１のサブシステムは通常のサブシステムである。いくつかの実施形態では、第１のサブシステムは別のフラクショナルサブシステムである。いくつかの実施形態では、第１のサブシステムおよび第２のサブシステムは共同設置されない。いくつかの実施形態では、方法１３００は基地局および／またはモバイルデバイスで実装され得る。いくつかの実施形態では、第１のサブシステムは第２のフラクショナルサブシステムである。
【０１４１】
[0157]図１４を参照すると、ワイヤレス通信システムに関するフラクショナルサブシステムを生成するための方法１４００のフロー図が提供される。方法１４００は、図１、図２Ａ、図２Ｂ、図１０、図１１、および／もしくは図１２に見られるモバイルデバイス１１５、図１、図２Ａ、図２Ｂ、図１１、および／もしくは図１２に見られる基地局１０５、図１および／もしくは図１１に見られるコアネットワーク１４０またはコントローラ１２０、ならびに／あるいは図６のデバイス６００および／または図９のデバイス９００を含むが、これらに限定されない様々なワイヤレス通信デバイスを利用して実装され得る。方法１４００は、図１３の方法１３００の１つまたは複数の態様を実装することが可能である。
【０１４２】
[0158]ブロック１４０５で、ワイヤレス通信システム内の第１のサブシステムが識別され得る。１４１０で、第１のサブシステムに関するスケーリング係数が判断され得る。ブロック１４１５で、ワイヤレス通信システム内で第２のサブシステムが生成され得る。第２のサブシステムは第１のフラクショナルサブシステムを含むことが可能であり、この場合、第１のサブシステムは、スケーリング係数を使用して、第２のサブシステムと関連付けられる。いくつかの実施形態では、スケーリング係数は時間スケーリング係数である。いくつかの実施形態では、スケーリング係数は状態スケーリング係数である。いくつかの実施形態では、スケーリング係数は周波数スケーリング係数である。いくつかの特定の実施形態では、スケーリング係数は、Ｎスケーリング係数、Ｄスケーリング係数、および／またはＲスケーリング係数と呼ばれる場合がある。
【０１４３】
[0159]図１５を参照すると、ワイヤレス通信システムに関するフラクショナルサブシステムを生成するための方法１５００のフロー図が提供される。方法１５００は、図１、図２Ａ、図２Ｂ、図１０、図１１、および／もしくは図１２に見られるようなモバイルデバイス１１５、図１、図２Ａ、図２Ｂ、図１１、および／もしくは図１２に見られる基地局１０５、図１および／もしくは図１１に見られるようなコアネットワーク１３０またはコントローラ１２０、ならびに／あるいは図６のデバイス６００および／または図９のデバイス９００を含むが、これらに限定されない様々なワイヤレス通信デバイスを利用して実装され得る。方法１５００は、図１３の方法１３００および／または図１４の方法１４００のうちの１つもしくは複数の態様を実装することが可能である。
【０１４４】
[0160]ブロック１５０５で、スペクトルの部分が識別され得、この場合、第１のサブシステムの第１の波形帯域幅はスペクトルのその部分の帯域幅を超える。ブロック１５１０で、第１のフラクショナル波形がスペクトルのその部分の帯域幅内に適合するように、第１のフラクショナル波形を生成するためのスケーリング係数が判断され得る。ブロック１５１５で、ワイヤレス通信システム内で第２のサブシステムが生成され得る。第２のサブシステムは第１のフラクショナルサブシステムを含むことが可能である。スケーリング係数を使用して、第１のサブシステムが第２のサブシステムと関連付けられ得る。ブロック１５２０で、第１のサブシステムから第２のサブシステムへのハンドオーバが実行され得る。ブロック１５２５で、第１のフラクショナル波形が第２のサブシステムを介して送信され得る。
【０１４５】
[0161]添付の図面に関して上で記載された詳細な説明は、例示的な実施形態について説明し、実施され得る実施形態または請求項の範囲内にある実施形態だけを表さない。本明細書を通して使用される「例示的」という用語は、「例、事例、または例示としての役割を果たす」ことを意味し、「好ましい」または「他の実施形態に勝って有利である」ことを意味しない。詳細な説明は、説明された技法の理解をもたらすための特定の詳細を含む。しかし、これらの技法はこれらの特定の詳細なしに実践され得る。場合によっては、説明された実施形態の概念をあいまいにするのを避けるために、よく知られている構造およびデバイスはブロック図の形で示される。
【０１４６】
[0162]情報および信号は、様々な異なる技術および技法のうちのいずれかを使用して表される場合がある。たとえば、上の説明を通して参照される場合があるデータ、命令、コマンド、情報、信号、ビット、シンボル、およびチップは、電圧、電流、電磁波、磁場もしくは磁性粒子、光場もしくは光学粒子、またはそれらの任意の組合せによって表される場合がある。
【０１４７】
[0163]本明細書の開示に関連して説明された様々な例示的なブロックおよびモジュールは、本明細書で説明された機能を実行するように設計された汎用プロセッサ、デジタル信号プロセッサ（ＤＳＰ）、特定用途向け集積回路（ＡＳＩＣ）、フィールドプログラマブルゲートアレイ（ＦＰＧＡ）もしくは他のプログラマブル論理デバイス、ディスクリートゲートもしくはトランジスタ論理、ディスクリートハードウェア構成要素、またはそれらの任意の組合せを用いて実装あるいは実行され得る。汎用プロセッサは、マイクロプロセッサであってよいが、代替では、プロセッサは、任意の従来のプロセッサ、コントローラ、マイクロコントローラ、または状態機械であってよい。プロセッサはまた、コンピューティングデバイスの組合せ、たとえば、ＤＳＰとマイクロプロセッサの組合せ、複数のマイクロプロセッサ、ＤＳＰコアとともに１つもしくは複数のマイクロプロセッサ、または任意の他のそのような構成として実装され得る。
【０１４８】
[0164]本明細書で説明された機能は、ハードウェア、プロセッサによって実行されるソフトウェア、ファームウェア、またはそれらの任意の組合せの中で実装され得る。プロセッサによって実行されるソフトウェア内で実装される場合、これらの機能はコンピュータ可読媒体上で１つまたは複数の命令またはコードとして記憶あるいはコンピュータ可読媒体を介して送信され得る。他の例および実装形態は、本開示および添付の請求項の範囲および趣旨の範囲内である。たとえば、ソフトウェアの性質により、上で説明された機能はプロセッサによって実行されるソフトウェア、ハードウェア、ファームウェア、ハードワイヤリング、またはこれらのうちのいずれかの組合せを使用して実装され得る。機能を実装する特徴はまた、機能の一部が異なる物理的な位置で実装されるように分散されることを含めて、様々な位置に物理的に配置され得る。また、請求項内を含めて、本明細書で使用される場合、「の少なくとも１つ」が前置きされる項目のリスト内で使用される「または（もしくは）」は、たとえば、「Ａ、Ｂ、またはＣのうちの少なくとも１つ」のリストが、Ａ、またはＢ、またはＣ、またはＡＢ、またはＡＣ、またはＢＣ、またはＡＢＣ（すなわち、ＡおよびＢおよびＣ）であるように、離接的な（disjunctive）リストを示す。
【０１４９】
[0165]コンピュータ可読媒体は、コンピュータ記憶媒体と、コンピュータプログラムのある場所から別の場所への転送を促進する任意の媒体を含む通信媒体の両方を含む。記憶媒体は、汎用コンピュータまたは専用コンピュータによってアクセスされ得る任意の利用可能な媒体であってよい。限定ではなく、例として、コンピュータ可読媒体は、所望されるプログラムコード手段を命令もしくはデータ構造の形で搬送または記憶するために使用され得、かつ汎用コンピュータもしくは専用コンピュータ、または汎用プロセッサもしくは専用プロセッサによってアクセスされ得るＲＡＭ、ＲＯＭ、ＥＥＰＲＯＭ、ＣＤ−ＲＯＭもしくは他の光ディスク記憶装置、磁気ディスク記憶装置もしくは他の磁気記憶デバイス、または任意の他の媒体を備えることが可能である。また、任意の接続は、適切には、コンピュータ可読媒体と名付けられる。たとえば、ソフトウェアが同軸ケーブル、光ファイバーケーブル、ツイストペア（twisted pair）、デジタル加入者線（ＤＳＬ）、または赤外線、無線、およびマイクロ波などのワイヤレス技術を使用して、ウェブサイト、サーバ、または他の遠隔ソースから送信される場合、同軸ケーブル、光ファイバーケーブル、ツイストペア、ＤＳＬ、または赤外線、無線、およびマイクロ波などのワイヤレス技術は媒体の定義内に含まれる。本明細書で使用される場合、ディスク（disk）およびディスク（disc）は、コンパクトディスク（ＣＤ）と、レーザディスク（登録商標）と、光ディスクと、デジタル多用途ディスク（ＤＶＤ）と、フロッピー（登録商標）ディスクと、ｂｌｕ−ｒａｙ（登録商標）ディスクとを含み、この場合、ディスク（disks）は、通常、データを磁気的に再生し、一方、ディスク（discs）は、レーザを用いて、データを光学的に再生する。上記の組合せも、コンピュータ可読媒体の範囲に含まれる。
【０１５０】
[0166]本開示の前の説明は、当業者が本開示を行うこと、または本開示を使用することを可能にするために提供される。本開示に対する様々な修正は当業者に容易にわかるであろうし、本開示の趣旨または範囲から逸脱せずに、本明細書で定義された一般原理が他の変形例に適用され得る。本開示を通して「例」または「例示的」という用語は、例または事例を示し、述べられた例に関する何らかの選好を意味せず、またはそのような選好を必要としない。したがって、本開示は、本明細書で説明された例および設計に限定されず、本明細書で開示された原理および新規な特徴に一致する最大範囲が与えられるべきである。
【図１】
2015502081.tif 000003
【図２Ａ】
2015502081.tif 000004
【図２Ｂ】
2015502081.tif 000005
【図３】
2015502081.tif 000006
【図４Ａ】
2015502081.tif 000007
【図４Ｂ】
2015502081.tif 000008
【図４Ｃ】
2015502081.tif 000009
【図５Ａ】
2015502081.tif 000010
【図５Ｂ】
2015502081.tif 000011
【図６Ａ】
2015502081.tif 000012
【図６Ｂ】
2015502081.tif 000013
【図６Ｃ】
2015502081.tif 000014
【図７Ａ】
2015502081.tif 000015
【図７Ｂ】
2015502081.tif 000016
【図７Ｃ】
2015502081.tif 000017
【図８】
2015502081.tif 000018
【図９】
2015502081.tif 000019
【図１０】
2015502081.tif 000020
【図１１】
2015502081.tif 000021
【図１２】
2015502081.tif 000022
【図１３】
2015502081.tif 000023
【図１４】
2015502081.tif 000024
【図１５】
2015502081.tif 000025
【手続補正書】
【提出日】平成26年9月10日(2014.9.10)
【手続補正１】
【補正対象書類名】特許請求の範囲
【補正対象項目名】全文
【補正方法】変更
【補正の内容】
【特許請求の範囲】
【請求項１】
ワイヤレス通信システムに関するスケーリング係数を利用するための方法であって、
前記ワイヤレス通信システム内の第１のサブシステムを識別することと、
前記ワイヤレス通信システム内の第２のサブシステムを識別することと、
前記第１のサブシステムおよび前記第２のサブシステムに関するスケーリング係数を判断することと、
前記スケーリング係数を利用して、前記第１のサブシステムの１つまたは複数の態様を前記第２のサブシステムの１つまたは複数の態様と関連付けることと
を備える方法。
【請求項２】
少なくとも前記第１のサブシステムまたは前記第２のサブシステムがフラクショナルサブシステムである、請求項１に記載の方法。
【請求項３】
スペクトルの部分を識別することであって、前記第１のサブシステムの第１の波形帯域幅がスペクトルの前記部分の帯域幅を超える、識別することと、
前記スケーリング係数を利用して、前記ワイヤレス通信システムの前記第２のサブシステムの第１のフラクショナル波形を生成することであって、前記第２のサブシステムの前記第１のフラクショナル波形がスペクトルの前記部分の前記帯域幅内に適合する、生成することと
をさらに備える、請求項１に記載の方法。
【請求項４】
前記スケーリング係数を利用して、前記第１のシステムの前記１つまたは複数の態様を前記第２のシステムの前記１つまたは複数の態様と関連付けることが、
前記スケーリング係数と、前記第１のサブシステムの少なくとも時間、持続期間、周波数、または状態とを利用して、前記第２のサブシステムの少なくとも時間、持続期間、周波数、または状態を判断すること
を備える、請求項１に記載の方法。
【請求項５】
少なくとも前記第１のサブシステムまたは前記第２のサブシステムに関してスケーリングされた測定単位を利用することであって、前記第１のサブシステム内および前記第２のサブシステム内の前記スケーリングされた測定単位の基礎値が前記スケーリング係数によって関連付けられる、利用すること
をさらに備える、請求項１に記載の方法。
【請求項６】
前記スケーリングされた測定単位が少なくとも拡張した時間単位または減少した周波数単位である、請求項５に記載の方法。
【請求項７】
前記スケーリングされた測定単位が単位無しである、請求項５に記載の方法。
【請求項８】
前記第２のサブシステムの前記スケーリングされた測定単位とリンクされた値が前記第１のサブシステムの前記スケーリングされた測定単位とリンクされた値と同じである、請求項５に記載の方法。
【請求項９】
前記スケーリング係数を利用して、前記第１のサブシステムから前記第２のサブシステムへのハンドオーバを実行すること
をさらに備える、請求項４に記載の方法。
【請求項１０】
前記スケーリング係数が、少なくとも時間スケーリング係数、状態スケーリング係数、または周波数スケーリング係数を備える、請求項１に記載の方法。
【請求項１１】
少なくともフィルタリングプロセス、平均化プロセス、またはデシメーションプロセスを利用して、前記スケーリング係数を実装すること
をさらに備える、請求項１に記載の方法。
【請求項１２】
前記第１のサブシステムと前記第２のサブシステムとを初めて整合させること
をさらに備える、請求項１に記載の方法。
【請求項１３】
第１のオフセット値を利用して、前記第１のサブシステムに対して前記第２のサブシステムをオフセットすること
をさらに備える、請求項１に記載の方法。
【請求項１４】
第１の基地局を識別する状態を判断することと、
追加の基地局識別子を生成するために、前記第２のサブシステムのオフセット値を前記状態と組み合せることと
をさらに備える、請求項１３に記載の方法。
【請求項１５】
前記状態がＰＮ状態である、請求項１４に記載の方法。
【請求項１６】
前記状態が時間である、請求項１４に記載の方法。
【請求項１７】
前記第２のサブシステムの少なくとも前記判断された時間、前記判断された周波数、または前記判断された状態と、前記第１のサブシステムの少なくとも前記時間、前記周波数、または前記状態とを少なくとも再選択手順、ハンドオフ手順、インターキャリア測定手順、または周波数測定手順の一部として利用すること
をさらに備える、請求項４に記載の方法。
【請求項１８】
前記第１のサブシステムと前記第２のサブシステムとを周期的に整合させること
をさらに備える、請求項１２に記載の方法。
【請求項１９】
前記第１のオフセット値とは異なる第２のオフセット値を利用して、前記第１のサブシステムに対して前記第２のサブシステムをオフセットすること
をさらに備える、請求項１３に記載の方法。
【請求項２０】
前記第１のサブシステムと前記第２のサブシステムとの間で時間を整合させることであって、前記時間を整合させることが状態変更をもたらさない、整合させること
をさらに備える、請求項１に記載の方法。
【請求項２１】
前記状態が少なくともショートＰＮコードまたはロングＰＮコードの状態を指す、請求項２０に記載の方法。
【請求項２２】
前記第１のサブシステムと前記第２のサブシステムとの間で時間を整合させることであって、前記時間を整合させることが状態変更をもたらす、整合させること
をさらに備える、請求項１に記載の方法。
【請求項２３】
前記状態が少なくともショートＰＮコードまたはロングＰＮコードの状態を指す、請求項２２に記載の方法。
【請求項２４】
前記状態変更がＰＮオフセット変更をもたらす、請求項２２に記載の方法。
【請求項２５】
前記ＰＮオフセット変更がモバイルデバイスへの暗示的なハンドオフに相当する、請求項２４に記載の方法。
【請求項２６】
前記ＰＮオフセット変更が、少なくとも１つまたは複数の時間整合インスタント、前記整合前の状態、または前記スケーリング係数の知識から前記モバイルデバイスによって単独で判断される、請求項２５に記載の方法。
【請求項２７】
前記ＰＮオフセット変更が少なくとも基地局またはコアネットワークから前記モバイルデバイスに通信される、請求項２５に記載の方法。
【請求項２８】
前記ＰＮオフセット変更が、少なくとも前記モバイルデバイスと、少なくとも基地局またはコアネットワークとによって共同で判断される、請求項２５に記載の方法。
【請求項２９】
前記第１のサブシステムが通常のサブシステムを備える、請求項１に記載の方法。
【請求項３０】
前記第１のサブシステムおよび前記第２のサブシステムが共同設置されない、請求項１に記載の方法。
【請求項３１】
前記第１のサブシステムが第２のフラクショナルサブシステムである、請求項１に記載の方法。
【請求項３２】
前記ステップがモバイルデバイスで実行される、請求項１に記載の方法。
【請求項３３】
前記ステップが基地局で実行される、請求項１に記載の方法。
【請求項３４】
スケーリング係数を利用するように構成されたワイヤレス通信システムであって、
前記ワイヤレス通信システム内の第１のサブシステムを識別するための手段と、
前記ワイヤレス通信システム内の第２のサブシステムを識別するための手段と、
前記第１のサブシステムおよび前記第２のサブシステムに関するスケーリング係数を判断するための手段と、
前記スケーリング係数を利用して、前記第１のサブシステムの１つまたは複数の態様を前記第２のサブシステムの１つまたは複数の態様と関連付けるための手段と
を備えるワイヤレス通信システム。
【請求項３５】
スペクトルの部分を識別するための手段であって、前記第１のサブシステムの第１の波形帯域幅がスペクトルの前記部分の帯域幅を超える、識別するための手段と、
前記スケーリング係数を利用して、前記ワイヤレス通信システムの前記第２のサブシステムの第１のフラクショナル波形を生成するための手段であって、前記第２のサブシステムの前記第１のフラクショナル波形がスペクトルの前記部分の前記帯域幅内に適合する、生成するための手段と
をさらに備える、請求項３４に記載のワイヤレス通信システム。
【請求項３６】
前記スケーリング係数を利用して、前記第１のシステムの前記１つまたは複数の態様を前記第２のシステムの前記１つまたは複数の態様と関連付けるための前記手段が、
前記スケーリング係数と、前記第１のサブシステムの少なくとも時間、周波数、または状態とを利用して、前記第２のサブシステムの少なくとも時間、持続期間、周波数、または状態を判断するための手段
を備える、請求項３４に記載のワイヤレス通信システム。
【請求項３７】
前記第２のサブシステムの少なくとも前記判断された時間、前記判断された周波数、または前記判断された状態と、前記第１のサブシステムの少なくとも前記時間、前記周波数、または前記状態とを少なくとも再選択手順、ハンドオフ手順、インターキャリア測定手順、または周波数測定手順の一部として利用するための手段
をさらに備える、請求項３６に記載のワイヤレス通信システム。
【請求項３８】
前記スケーリング係数を利用して、前記第１のサブシステムから前記第２のサブシステムへのハンドオーバを実行するための手段
をさらに備える、請求項３４に記載のワイヤレス通信システム。
【請求項３９】
前記スケーリング係数が、少なくとも時間スケーリング係数、状態スケーリング係数、または周波数スケーリング係数である、請求項３４に記載のワイヤレス通信システム。
【請求項４０】
少なくとも前記第１のサブシステムまたは前記第２のサブシステムに関してスケーリングされた測定単位を利用するための手段であって、前記第１のサブシステム内および前記第２のサブシステム内の前記スケーリングされた測定単位の基礎値が前記スケーリング係数によって関連付けられる、利用するための手段
をさらに備える、請求項３４に記載のワイヤレス通信システム。
【請求項４１】
前記スケーリングされた測定単位が少なくとも拡張した時間単位または減少した周波数単位である、請求項４０に記載のワイヤレス通信システム。
【請求項４２】
前記スケーリングされた測定単位が単位無しである、請求項４０に記載のワイヤレス通信システム。
【請求項４３】
前記第２のサブシステムの前記スケーリングされた測定単位とリンクされた値が前記第１のサブシステムの前記スケーリングされた測定単位とリンクされた値と同じである、請求項４０に記載のワイヤレス通信システム。
【請求項４４】
少なくともフィルタリングプロセス、平均化プロセス、またはデシメーションプロセスを利用して、前記スケーリング係数を実施するための手段
をさらに備える、請求項３４に記載のワイヤレス通信システム。
【請求項４５】
前記第１のサブシステムが通常のサブシステムを備える、請求項３４に記載のワイヤレス通信システム。
【請求項４６】
前記第１のサブシステムおよび前記第２のサブシステムが共同設置されない、請求項３４に記載のワイヤレス通信システム。
【請求項４７】
前記第１のサブシステムが第２のフラクショナルサブシステムである、請求項３４に記載のワイヤレス通信システム。
【請求項４８】
ワイヤレス通信システム内でスケーリング係数を利用するためのコンピュータプログラム製品であって、
前記ワイヤレス通信システム内の第１のサブシステムを識別するためのコードと、
前記ワイヤレス通信システム内の第２のサブシステムを識別するためのコードと、
前記第１のサブシステムおよび前記第２のサブシステムに関するスケーリング係数を判断するためのコードと、
前記スケーリング係数を利用して、前記第１のサブシステムの１つまたは複数の態様を前記第２のサブシステムの１つまたは複数の態様と関連付けるためのコードと
を備えた非一時的コンピュータ可読媒体
を備えるコンピュータプログラム製品。
【請求項４９】
前記非一時的コンピュータ可読媒体が、
スペクトルの部分を識別するためのコードであって、前記第１のサブシステムの第１の波形帯域幅がスペクトルの前記部分の帯域幅を超える、識別するためのコードと、
前記スケーリング係数を利用して、前記ワイヤレス通信システムの前記第２のサブシステムの第１のフラクショナル波形を生成するためのコードであって、前記第２のサブシステムの前記第１のフラクショナル波形がスペクトルの前記部分の前記帯域幅内に適合する、生成するためのコードと
をさらに備える、請求項４８に記載のコンピュータプログラム製品。
【請求項５０】
前記非一時的コンピュータ可読媒体が、
前記スケーリング係数と、前記第１のサブシステムの少なくとも時間、周波数、または状態とを利用して、前記第２のサブシステムの少なくとも時間、持続期間、周波数、または状態を判断するためのコード
をさらに備える、請求項４８に記載のコンピュータプログラム製品。
【請求項５１】
前記非一時的コンピュータ可読媒体が、
前記第２のサブシステムの少なくとも前記判断された時間、前記判断された周波数、または前記判断された状態と、前記第１のサブシステムの少なくとも前記時間、前記周波数、または前記状態とを少なくとも再選択手順、ハンドオフ手順、インターキャリア測定手順、または周波数測定手順の一部として利用するためのコード
をさらに備える、請求項５０に記載のコンピュータプログラム製品。
【請求項５２】
前記非一時的コンピュータ可読媒体が、
前記スケーリング係数を利用して、前記第１のサブシステムから前記第２のサブシステムへのハンドオーバを実行するためのコード
をさらに備える、請求項４８に記載のコンピュータプログラム製品。
【請求項５３】
前記スケーリング係数が、少なくとも時間スケーリング係数、状態スケーリング係数、または周波数スケーリング係数を備える、請求項４８に記載のコンピュータプログラム製品。
【請求項５４】
前記非一時的コンピュータ可読媒体が、
少なくともフィルタリングプロセス、平均化プロセス、またはデシメーションプロセスを利用して、前記スケーリング係数を実装するためのコード
をさらに備える、請求項４８に記載のコンピュータプログラム製品。
【請求項５５】
前記非一時的コンピュータ可読媒体が、
少なくとも前記第１のサブシステムまたは前記第２のサブシステムに関してスケーリングされた測定単位を利用するためのコードであって、前記第１のサブシステム内および前記第２のサブシステム内の前記スケーリングされた測定単位の基礎値が前記スケーリング係数によって関連付けられる、利用するためのコード
をさらに備える、請求項４８に記載のコンピュータプログラム製品。
【請求項５６】
前記スケーリングされた測定単位が、少なくとも拡張した時間単位または減少した周波数単位である、請求項５５に記載のコンピュータプログラム製品。
【請求項５７】
前記スケーリングされた測定単位が単位無しである、請求項５５に記載のコンピュータプログラム製品。
【請求項５８】
前記第２のサブシステムの前記スケーリングされた測定単位とリンクされた値が前記第１のサブシステムの前記スケーリングされた測定単位とリンクされた値と同じである、請求項５５に記載のコンピュータプログラム製品。
【請求項５９】
ワイヤレス通信システム内でスケーリング係数を利用するように構成されたワイヤレス通信デバイスであって、
前記ワイヤレス通信システム内の第１のサブシステムを識別することと、
前記ワイヤレス通信システム内の第２のサブシステムを識別することと、
前記第１のサブシステムおよび前記第２のサブシステムに関するスケーリング係数を判断することと、
前記スケーリング係数を利用して、前記第１のサブシステムの１つまたは複数の態様を前記第２のサブシステムの１つまたは複数の態様と関連付けることと
を行うように構成された、少なくとも１つのプロセッサと、
前記少なくとも１つのプロセッサに結合された、少なくとも１つのメモリと
を備えるワイヤレス通信デバイス。
【請求項６０】
前記少なくとも１つのプロセッサが、
前記第１のサブシステムと前記第２のサブシステムとを初めて整合させること
を行うようにさらに構成された、請求項５９に記載のワイヤレス通信デバイス。
【請求項６１】
前記少なくとも１つのプロセッサが、
第１のオフセット値を利用して、前記第１のサブシステムに対して前記第２のサブシステムをオフセットすること
を行うようにさらに構成された、請求項５９に記載のワイヤレス通信デバイス。
【請求項６２】
前記少なくとも１つのプロセッサが、
第１の基地局を識別する状態を判断することと、
新しい基地局識別子を生成するために、前記第２のサブシステムのオフセット値を前記状態と組み合せることと
を行うようにさらに構成された、請求項６１に記載のワイヤレス通信デバイス。
【請求項６３】
前記少なくとも１つのプロセッサが、
前記スケーリング係数と、前記第１のサブシステムの少なくとも時間、周波数、または状態とを利用して、前記第２のサブシステムの少なくとも時間、持続期間、周波数、または状態を判断すること
を行うようにさらに構成された、請求項５９に記載のワイヤレス通信デバイス。
【請求項６４】
前記少なくとも１つのプロセッサが、
前記第１のサブシステムと前記第２のサブシステムとを周期的に整合させること
を行うようにさらに構成された、請求項５９に記載のワイヤレス通信デバイス。
【請求項６５】
前記少なくとも１つのプロセッサが、
前記第１のオフセット値とは異なる第２のオフセット値を利用して、前記第１のサブシステムに対して前記第２のサブシステムをオフセットすること
を行うようにさらに構成された、請求項６１に記載のワイヤレス通信デバイス。
【請求項６６】
前記少なくとも１つのプロセッサが、
少なくとも前記第１のサブシステムまたは前記第２のサブシステムに関してスケーリングされた測定単位を利用することであって、前記第１のサブシステム内および前記第２のサブシステム内の前記スケーリングされた測定単位の基礎値が前記スケーリング係数によって関連付けられる、利用すること
を行うようにさらに構成された、請求項５９に記載のワイヤレス通信デバイス。
【請求項６７】
前記スケーリングされた測定単位が少なくとも拡張した時間単位または減少した周波数単位である、請求項６６に記載のワイヤレス通信デバイス。
【請求項６８】
前記スケーリングされた測定単位が単位無しである、請求項６６に記載のワイヤレス通信デバイス。
【請求項６９】
前記第２のサブシステムの前記スケーリングされた測定単位とリンクされた値が前記第１のサブシステムの前記スケーリングされた測定単位とリンクされた値と同じである、請求項６６に記載のワイヤレス通信デバイス。
【手続補正２】
【補正対象書類名】明細書
【補正対象項目名】０１５０
【補正方法】変更
【補正の内容】
【０１５０】
[0166]本開示の前の説明は、当業者が本開示を行うこと、または本開示を使用することを可能にするために提供される。本開示に対する様々な修正は当業者に容易にわかるであろうし、本開示の趣旨または範囲から逸脱せずに、本明細書で定義された一般原理が他の変形例に適用され得る。本開示を通して「例」または「例示的」という用語は、例または事例を示し、述べられた例に関する何らかの選好を意味せず、またはそのような選好を必要としない。したがって、本開示は、本明細書で説明された例および設計に限定されず、本明細書で開示された原理および新規な特徴に一致する最大範囲が与えられるべきである。
以下に、本願出願の当初の特許請求の範囲に記載された発明を付記する。
［１］ワイヤレス通信システムに関するスケーリング係数を利用するための方法であって、
前記ワイヤレス通信システム内の第１のサブシステムを識別することと、
前記ワイヤレス通信システム内の第２のサブシステムを識別することと、
前記第１のサブシステムおよび前記第２のサブシステムに関するスケーリング係数を判断することと、
前記スケーリング係数を利用して、前記第１のサブシステムの１つまたは複数の態様を前記第２のサブシステムの１つまたは複数の態様と関連付けることと
を備える方法。
［２］少なくとも前記第１のサブシステムまたは前記第２のサブシステムがフラクショナルサブシステムである、［１］に記載の方法。
［３］スペクトルの部分を識別することであって、前記第１のサブシステムの第１の波形帯域幅がスペクトルの前記部分の帯域幅を超える、識別することと、
前記スケーリング係数を利用して、前記ワイヤレス通信システムの前記第２のサブシステムの第１のフラクショナル波形を生成することであって、前記第２のサブシステムの前記第１のフラクショナル波形がスペクトルの前記部分の前記帯域幅内に適合する、生成することと
をさらに備える、［１］に記載の方法。
［４］前記スケーリング係数を利用して、前記第１のシステムの前記１つまたは複数の態様を前記第２のシステムの前記１つまたは複数の態様と関連付けることが、
前記スケーリング係数と、前記第１のサブシステムの少なくとも時間、持続期間、周波数、または状態とを利用して、前記第２のサブシステムの少なくとも時間、持続期間、周波数、または状態を判断すること
を備える、［１］に記載の方法。
［５］少なくとも前記第１のサブシステムまたは前記第２のサブシステムに関してスケーリングされた測定単位を利用することであって、前記第１のサブシステム内および前記第２のサブシステム内の前記スケーリングされた測定単位の基礎値が前記スケーリング係数によって関連付けられる、利用すること
をさらに備える、［１］に記載の方法。
［６］前記スケーリングされた測定単位が少なくとも拡張した時間単位または減少した周波数単位である、［５］に記載の方法。
［７］前記スケーリングされた測定単位が単位無しである、［５］に記載の方法。
［８］前記第２のサブシステムの前記スケーリングされた測定単位とリンクされた値が前記第１のサブシステムの前記スケーリングされた測定単位とリンクされた値と同じである、［５］に記載の方法。
［９］前記スケーリング係数を利用して、前記第１のサブシステムから前記第２のサブシステムへのハンドオーバを実行すること
をさらに備える、［４］に記載の方法。
［１０］前記スケーリング係数が、少なくとも時間スケーリング係数、状態スケーリング係数、または周波数スケーリング係数を備える、［１］に記載の方法。
［１１］少なくともフィルタリングプロセス、平均化プロセス、またはデシメーションプロセスを利用して、前記スケーリング係数を実装すること
をさらに備える、［１］に記載の方法。
［１２］前記第１のサブシステムと前記第２のサブシステムとを初めて整合させること
をさらに備える、［１］に記載の方法。
［１３］第１のオフセット値を利用して、前記第１のサブシステムに対して前記第２のサブシステムをオフセットすること
をさらに備える、［１］に記載の方法。
［１４］第１の基地局を識別する状態を判断することと、
追加の基地局識別子を生成するために、前記第２のサブシステムのオフセット値を前記状態と組み合せることと
をさらに備える、［１３］に記載の方法。
［１５］前記状態がＰＮ状態である、［１４］に記載の方法。
［１６］前記状態が時間である、［１４］に記載の方法。
［１７］前記第２のサブシステムの少なくとも前記判断された時間、前記判断された周波数、または前記判断された状態と、前記第１のサブシステムの少なくとも前記時間、前記周波数、または前記状態とを少なくとも再選択手順、ハンドオフ手順、インターキャリア測定手順、または周波数測定手順の一部として利用すること
をさらに備える、［４］に記載の方法。
［１８］前記第１のサブシステムと前記第２のサブシステムとを周期的に整合させること
をさらに備える、［１２］に記載の方法。
［１９］前記第１のオフセット値とは異なる第２のオフセット値を利用して、前記第１のサブシステムに対して前記第２のサブシステムをオフセットすること
をさらに備える、［１３］に記載の方法。
［２０］前記第１のサブシステムと前記第２のサブシステムとの間で時間を整合させることであって、前記時間を整合させることが状態変更をもたらさない、整合させること
をさらに備える、［１］に記載の方法。
［２１］前記状態が少なくともショートＰＮコードまたはロングＰＮコードの状態を指す、［２０］に記載の方法。
［２２］前記第１のサブシステムと前記第２のサブシステムとの間で時間を整合させることであって、前記時間を整合させることが状態変更をもたらす、整合させること
をさらに備える、［１］に記載の方法。
［２３］前記状態が少なくともショートＰＮコードまたはロングＰＮコードの状態を指す、［２２］に記載の方法。
［２４］前記状態変更がＰＮオフセット変更をもたらす、［２２］に記載の方法。
［２５］前記ＰＮオフセット変更がモバイルデバイスへの暗示的なハンドオフに相当する、［２４］に記載の方法。
［２６］前記ＰＮオフセット変更が、少なくとも１つまたは複数の時間整合インスタンス、前記整合前の状態、または前記スケーリング係数の知識から前記モバイルデバイスによって単独で判断される、［２５］に記載の方法。
［２７］前記ＰＮオフセット変更が少なくとも基地局またはコアネットワークから前記モバイルデバイスに通信される、［２５］に記載の方法。
［２８］前記ＰＮオフセット変更が、少なくとも前記モバイルデバイスと、少なくとも基地局またはコアネットワークとによって共同で判断される、［２５］に記載の方法。
［２９］前記第１のサブシステムが通常のサブシステムを備える、［１］に記載の方法。
［３０］前記第１のサブシステムおよび前記第２のサブシステムが共同設置されない、［１］に記載の方法。
［３１］前記第１のサブシステムが第２のフラクショナルサブシステムである、［１］に記載の方法。
［３２］前記ステップがモバイルデバイスで実行される、［１］に記載の方法。
［３３］前記ステップが基地局で実行される、［１］に記載の方法。
［３４］スケーリング係数を利用するように構成されたワイヤレス通信システムであって、
前記ワイヤレス通信システム内の第１のサブシステムを識別するための手段と、
前記ワイヤレス通信システム内の第２のサブシステムを識別するための手段と、
前記第１のサブシステムおよび前記第２のサブシステムに関するスケーリング係数を判断するための手段と、
前記スケーリング係数を利用して、前記第１のサブシステムの１つまたは複数の態様を前記第２のサブシステムの１つまたは複数の態様と関連付けるための手段と
を備えるワイヤレス通信システム。
［３５］スペクトルの部分を識別するための手段であって、前記第１のサブシステムの第１の波形帯域幅がスペクトルの前記部分の帯域幅を超える、識別するための手段と、
前記スケーリング係数を利用して、前記ワイヤレス通信システムの前記第２のサブシステムの第１のフラクショナル波形を生成するための手段であって、前記第２のサブシステムの前記第１のフラクショナル波形がスペクトルの前記部分の前記帯域幅内に適合する、生成するための手段と
をさらに備える、［３４］に記載のワイヤレス通信システム。
［３６］前記スケーリング係数を利用して、前記第１のシステムの前記１つまたは複数の態様を前記第２のシステムの前記１つまたは複数の態様と関連付けるための前記手段が、
前記スケーリング係数と、前記第１のサブシステムの少なくとも時間、周波数、または状態とを利用して、前記第２のサブシステムの少なくとも時間、持続期間、周波数、または状態を判断するための手段
を備える、［３４］に記載のワイヤレス通信システム。
［３７］前記第２のサブシステムの少なくとも前記判断された時間、前記判断された周波数、または前記判断された状態と、前記第１のサブシステムの少なくとも前記時間、前記周波数、または前記状態とを少なくとも再選択手順、ハンドオフ手順、インターキャリア測定手順、または周波数測定手順の一部として利用するための手段
をさらに備える、［３６］に記載のワイヤレス通信システム。
［３８］前記スケーリング係数を利用して、前記第１のサブシステムから前記第２のサブシステムへのハンドオーバを実行するための手段
をさらに備える、［３４］に記載のワイヤレス通信システム。
［３９］前記スケーリング係数が、少なくとも時間スケーリング係数、状態スケーリング係数、または周波数スケーリング係数である、［３４］に記載のワイヤレス通信システム。
［４０］少なくとも前記第１のサブシステムまたは前記第２のサブシステムに関してスケーリングされた測定単位を利用するための手段であって、前記第１のサブシステム内および前記第２のサブシステム内の前記スケーリングされた測定単位の基礎値が前記スケーリング係数によって関連付けられる、利用するための手段
をさらに備える、［３４］に記載のワイヤレス通信システム。
［４１］前記スケーリングされた測定単位が少なくとも拡張した時間単位または減少した周波数単位である、［４０］に記載のワイヤレス通信システム。
［４２］前記スケーリングされた測定単位が単位無しである、［４０］に記載のワイヤレス通信システム。
［４３］前記第２のサブシステムの前記スケーリングされた測定単位とリンクされた値が前記第１のサブシステムの前記スケーリングされた測定単位とリンクされた値と同じである、［４０］に記載のワイヤレス通信システム。
［４４］少なくともフィルタリングプロセス、平均化プロセス、またはデシメーションプロセスを利用して、前記スケーリング係数を実施するための手段
をさらに備える、［３４］に記載のワイヤレス通信システム。
［４５］前記第１のサブシステムが通常のサブシステムを備える、［３４］に記載のワイヤレス通信システム。
［４６］前記第１のサブシステムおよび前記第２のサブシステムが共同設置されない、［３４］に記載のワイヤレス通信システム。
［４７］前記第１のサブシステムが第２のフラクショナルサブシステムである、［３４］に記載のワイヤレス通信システム。
［４８］ワイヤレス通信システム内でスケーリング係数を利用するためのコンピュータプログラム製品であって、
前記ワイヤレス通信システム内の第１のサブシステムを識別するためのコードと、
前記ワイヤレス通信システム内の第２のサブシステムを識別するためのコードと、
前記第１のサブシステムおよび前記第２のサブシステムに関するスケーリング係数を判断するためのコードと、
前記スケーリング係数を利用して、前記第１のサブシステムの１つまたは複数の態様を前記第２のサブシステムの１つまたは複数の態様と関連付けるためのコードと
を備えた非一時的コンピュータ可読媒体
を備えるコンピュータプログラム製品。
［４９］前記非一時的コンピュータ可読媒体が、
スペクトルの部分を識別するためのコードであって、前記第１のサブシステムの第１の波形帯域幅がスペクトルの前記部分の帯域幅を超える、識別するためのコードと、
前記スケーリング係数を利用して、前記ワイヤレス通信システムの前記第２のサブシステムの第１のフラクショナル波形を生成するためのコードであって、前記第２のサブシステムの前記第１のフラクショナル波形がスペクトルの前記部分の前記帯域幅内に適合する、生成するためのコードと
をさらに備える、［４８］に記載のコンピュータプログラム製品。
［５０］前記非一時的コンピュータ可読媒体が、
前記スケーリング係数と、前記第１のサブシステムの少なくとも時間、周波数、または状態とを利用して、前記第２のサブシステムの少なくとも時間、持続期間、周波数、または状態を判断するためのコード
をさらに備える、［４８］に記載のコンピュータプログラム製品。
［５１］前記非一時的コンピュータ可読媒体が、
前記第２のサブシステムの少なくとも前記判断された時間、前記判断された周波数、または前記判断された状態と、前記第１のサブシステムの少なくとも前記時間、前記周波数、または前記状態とを少なくとも再選択手順、ハンドオフ手順、インターキャリア測定手順、または周波数測定手順の一部として利用するためのコード
をさらに備える、［５０］に記載のコンピュータプログラム製品。
［５２］前記非一時的コンピュータ可読媒体が、
前記スケーリング係数を利用して、前記第１のサブシステムから前記第２のサブシステムへのハンドオーバを実行するためのコード
をさらに備える、［４８］に記載のコンピュータプログラム製品。
［５３］前記スケーリング係数が、少なくとも時間スケーリング係数、状態スケーリング係数、または周波数スケーリング係数を備える、［４８］に記載のコンピュータプログラム製品。
［５４］前記非一時的コンピュータ可読媒体が、
少なくともフィルタリングプロセス、平均化プロセス、またはデシメーションプロセスを利用して、前記スケーリング係数を実装するためのコード
をさらに備える、［４８］に記載のコンピュータプログラム製品。
［５５］前記非一時的コンピュータ可読媒体が、
少なくとも前記第１のサブシステムまたは前記第２のサブシステムに関してスケーリングされた測定単位を利用するためのコードであって、前記第１のサブシステム内および前記第２のサブシステム内の前記スケーリングされた測定単位の基礎値が前記スケーリング係数によって関連付けられる、利用するためのコード
をさらに備える、［４８］に記載のコンピュータプログラム製品。
［５６］前記スケーリングされた測定単位が、少なくとも拡張した時間単位または減少した周波数単位である、［５５］に記載のコンピュータプログラム製品。
［５７］前記スケーリングされた測定単位が単位無しである、［５５］に記載の方法。
［５８］前記第２のサブシステムの前記スケーリングされた測定単位とリンクされた値が前記第１のサブシステムの前記スケーリングされた測定単位とリンクされた値と同じである、［５５］に記載のコンピュータプログラム製品。
［５９］ワイヤレス通信システム内でスケーリング係数を利用するように構成されたワイヤレス通信デバイスであって、
前記ワイヤレス通信システム内の第１のサブシステムを識別することと、
前記ワイヤレス通信システム内の第２のサブシステムを識別することと、
前記第１のサブシステムおよび前記第２のサブシステムに関するスケーリング係数を判断することと、
前記スケーリング係数を利用して、前記第１のサブシステムの１つまたは複数の態様を前記第２のサブシステムの１つまたは複数の態様と関連付けることと
を行うように構成された、少なくとも１つのプロセッサと、
前記少なくとも１つのプロセッサに結合された、少なくとも１つのメモリと
を備えるワイヤレス通信デバイス。
［６０］前記少なくとも１つのプロセッサが、
前記第１のサブシステムと前記第２のサブシステムとを初めて整合させること
を行うようにさらに構成された、［５９］に記載のワイヤレス通信デバイス。
［６１］前記少なくとも１つのプロセッサが、
第１のオフセット値を利用して、前記第１のサブシステムに対して前記第２のサブシステムをオフセットすること
を行うようにさらに構成された、［５９］に記載のワイヤレス通信デバイス。
［６２］前記少なくとも１つのプロセッサが、
第１の基地局を識別する状態を判断することと、
新しい基地局識別子を生成するために、前記第２のサブシステムのオフセット値を前記状態と組み合せることと
を行うようにさらに構成された、［６１］に記載のワイヤレス通信デバイス。
［６３］前記少なくとも１つのプロセッサが、
前記スケーリング係数と、前記第１のサブシステムの少なくとも時間、周波数、または状態とを利用して、前記第２のサブシステムの少なくとも時間、持続期間、周波数、または状態を判断すること
を行うようにさらに構成された、［５９］に記載のワイヤレス通信デバイス。
［６４］前記少なくとも１つのプロセッサが、
前記第１のサブシステムと前記第２のサブシステムとを周期的に整合させること
を行うようにさらに構成された、［５９］に記載のワイヤレス通信デバイス。
［６５］前記少なくとも１つのプロセッサが、
前記第１のオフセット値とは異なる第２のオフセット値を利用して、前記第１のサブシステムに対して前記第２のサブシステムをオフセットすること
を行うようにさらに構成された、［６１］に記載のワイヤレス通信デバイス。
［６６］前記少なくとも１つのプロセッサが、
少なくとも前記第１のサブシステムまたは前記第２のサブシステムに関してスケーリングされた測定単位を利用することであって、前記第１のサブシステム内および前記第２のサブシステム内の前記スケーリングされた測定単位の基礎値が前記スケーリング係数によって関連付けられる、利用すること
を行うようにさらに構成された、［５９］に記載のワイヤレス通信デバイス。
［６７］前記スケーリングされた測定単位が少なくとも拡張した時間単位または減少した周波数単位である、［６６］に記載のワイヤレス通信デバイス。
［６８］前記スケーリングされた測定単位が単位無しである、［６６］に記載のワイヤレス通信デバイス。
［６９］前記第２のサブシステムの前記スケーリングされた測定単位とリンクされた値が前記第１のサブシステムの前記スケーリングされた測定単位とリンクされた値と同じである、［６６］に記載のワイヤレス通信デバイス。
【国際調査報告】
2015502081.tif 000026
2015502081.tif 000027